(57)【要約】  水中動力装置またはタービンユニット(2;102;202;302;402)は、第１のハウジング部(4;104;204;304)、第２のハウジング部(6;106;206;306;406)と、第１および第２のハウジング部を接続するための接続手段(8;108;208;308)を備え、該接続手段は、複数のバー(22;122;222;322)を有し、該動力装置またはタービンユニットは、ベース(28;128;228;328)をさらに備え、該ベースは、３本の脚部(30;32;34;130;132;134;230;232;234;330;332;334;430;432;434)を有し、該動力装置またはタービンユニットと流路(44;104;204;304)とは、第１および第２の端部を有し、前記脚部は、前記端部から縦方向外側に、および／または前記流路の側部から横方向外側に設けられる。
2010521609.tif 000002
【特許請求の範囲】
【請求項１】
第１のハウジング部と、第２のハウジング部と、該第１および第２のハウジング部を接続し、および／または間隔をあけて配置するための接続手段とを備える、水中動力装置またはタービンユニット。
【請求項２】
前記接続手段は、前記第１および第２のハウジング部の間の間隙を埋める、請求項１に記載の水中動力装置またはタービンユニット。
【請求項３】
前記第１のハウジング部は、少なくとも部分的にフラスト円錐形状の内面を有し、および／または、少なくとも部分的にフラスト円錐形状の外面を有する、請求項１または２に記載の水中動力装置またはタービンユニット。
【請求項４】
前記第２のハウジング部は、少なくとも部分的にフラスト円錐形状の内面を有し、および／または、少なくとも部分的にフラスト円錐形状の外面を有する、請求項１〜３のいずれかに記載の水中動力装置またはタービンユニット。
【請求項５】
前記第１および第２のハウジング部のより幅狭の端部が、相互に間隔をあけて近接して配置される、請求項１〜４のいずれかに記載の水中動力装置またはタービンユニット。
【請求項６】
前記接続手段は、前記第１および第２のハウジング部の間の間隔を制御または選択する、請求項１〜５のいずれかに記載の水中動力装置またはタービンユニット。
【請求項７】
前記接続手段は、少なくとも１つのまたは複数の細長部材またはバーを備える、請求項１〜６のいずれかに記載の水中動力装置またはタービンユニット。
【請求項８】
前記バーの一端部は、前記第１のハウジング部に取り付けられている／取付け可能となっている、もしくは、取外し可能に取り付けられている／取付け可能となっており、前記バーの他端部は、前記第２のハウジング部に取り付けられる／取付け可能となっている、もしくは、取外し可能に取り付けられる／取付け可能となっている、請求項７に記載の水中動力装置またはタービンユニット。
【請求項９】
前記端部はフランジ状であり、該端部は、前記ハウジング部のそれぞれに、もしくは該ハウジング部のそれぞれの外面に、固定される、請求項８に記載の水中動力装置またはタービンユニット。
【請求項１０】
前記バーは、前記ハウジング部の下側周面の周囲に配置される、もしくは、前記バーは、前記ハウジング部の下側周面の周囲に円周方向に相互に間隔をあけて配置される、請求項７〜９のいずれかに記載の水中動力装置またはタービンユニット。
【請求項１１】
前記水中動力装置またはタービンユニットは、モジュールまたはタービンモジュールを備え、該モジュールまたはタービンモジュールは、前記第１および第２のハウジング部の間の間隙または空間内に取外し可能に収容される、請求項１〜１０のいずれかに記載の水中動力装置またはタービンユニット。
【請求項１２】
前記水中動力装置またはタービンユニットは、ベースを備え、該ベースは３つの脚部を備える、水中動力装置またはタービンユニット。
【請求項１３】
一端に第１および第２の脚部が対で設けられ、別の端部に第３の脚部が設けられる、請求項１２に記載の水中動力装置またはタービンユニット。
【請求項１４】
前記第１および第２の脚部は、該動力装置の長手軸の両側に対称に配置される、請求項１３に記載の水中動力装置またはタービンユニット。
【請求項１５】
前記第３の脚部は、前記長手軸に沿って、または該長手軸上に配置される、請求項１４に記載の水中動力装置またはタービンユニット。
【請求項１６】
前記脚部は中空である、請求項１２〜１５のいずれかに記載の水中動力装置またはタービンユニット。
【請求項１７】
前記脚部はバラストを備える、請求項１６に記載の水中動力装置またはタービンユニット。
【請求項１８】
前記第１および第２の脚部の体積は実質的に同じである、請求項１６または１７に記載の水中動力装置またはタービンユニット。
【請求項１９】
前記第３の脚部の体積は、前記第１および第２の脚部のそれぞれの体積の実質的に２倍である、請求項１６〜１８のいずれかに記載の水中動力装置またはタービンユニット。
【請求項２０】
前記第３の脚部から前記第１および第２の脚部の間へと長手方向に伸長するバーまたはトーションバーが設けられている、請求項１２〜１５、請求項１３に従属する請求項１６、請求項１７〜１９のいずれかに記載の水中動力装置またはタービンユニット。
【請求項２１】
さらなるバーが、前記第１および第２の脚部の間に横方向に設けられ、前記さらなるバーの端部は、前記第１および第２の脚部に接続される、請求項２０に記載の水中動力装置またはタービンユニット。
【請求項２２】
第１および第２の対称的に配置された別のさらなるバーが、前記バーと前記さらなるバーとの間に設けられている、請求項２１に記載の水中動力装置またはタービンユニット。
【請求項２３】
第１および第２の端部ならびに複数の脚部を有する流路を備える水中動力装置またはタービンユニットであって、前記脚部は、前記流路の端部から長手方向の外側に配置され、および／または、前記流路の両側から横方向外側に配置される、水中動力装置またはタービンユニット。
【請求項２４】
１対の第１および第２の脚部が前記端部の一方より外側に設けられ、第３の脚部が前記端部の他方より外側に設けられている、請求項２３に記載の水中動力装置またはタービンユニット。
【請求項２５】
前記１対の脚部は、前記ハウジングの両側より外側に設けられる、請求項２４に記載の水中動力装置またはタービンユニット。
【請求項２６】
ハウジングおよびタービンモジュールを備え、該タービンモジュールは、前記ハウジングに対して、もしくは前記ハウジング内に、取外し可能に収容され、前記ハウジングと前記タービンモジュールとの間にシール手段が設けられている、水中動力装置またはタービンユニット。
【請求項２７】
前記ハウジングは、第１のハウジング部および第２のハウジング部を備える、請求項２６に記載の水中動力装置またはタービンユニット。
【請求項２８】
前記タービンモジュールは、前記第１および第２のハウジング部の間に設置可能である、請求項２７に記載の水中動力装置またはタービンユニット。
【請求項２９】
前記シール手段は、ポリマー材料からなる、請求項２６〜２８のいずれかに記載の水中動力装置またはタービンユニット。
【請求項３０】
前記シール手段は、前記モジュールの第１の端部と前記第１のハウジング部との間に設けられた第１のシール手段を備える、請求項２６〜２９のいずれかに記載の水中動力装置またはタービンユニット。
【請求項３１】
前記シール手段は、前記モジュールの第２の端部と前記第２のハウジング部との間に設けられた第２のシール手段を備える、請求項３０に記載の水中動力装置またはタービンユニット。
【請求項３２】
前記第１のシール手段は、前記モジュールの第１の端部の上側円周部の少なくとも一部の周囲に設けられるフランジの下面に設けられる、請求項３０または３１に記載の水中動力装置またはタービンユニット。
【請求項３３】
前記第１のシール手段は、前記モジュールの第１の端部の下側円周部の少なくとも一部の周囲に設けられる、別のフランジの下面に設けられる、請求項３２に記載の水中動力装置またはタービンユニット。
【請求項３４】
前記第２のシール手段は、前記モジュールの前記第２の端部の下側円周部の少なくとも一部の周囲に設けられた部分またはフランジの下面に設けられる、請求項３１、請求項３１に従属する請求項３２、３３のいずれかに記載の水中動力装置またはタービンユニット。
【請求項３５】
前記第２のシール手段は、前記モジュールの前記第２の端部の上側円周部の少なくとも一部の周囲に設けられた別の部分またはフランジの下面に設けられる、請求項３４に記載の水中動力装置またはタービンユニット。
【請求項３６】
地盤係合手段または周囲に伸長するスカートを有する、少なくとも１つの地盤係合脚部を備える、水中動力装置またはタービンユニット。
【請求項３７】
前記地盤係合手段または周囲に伸長するスカートは、使用時において、前記少なくとも１つの脚部を、海底、大洋底または河床の地盤に押し付けることを補助し、該地盤係合脚部が前記周囲に伸長するスカートを備える場合、該スカートは連続的または非連続的であり、選択的に、該脚部は中空管からなり、使用時に実質的に鉛直方向に配置される、請求項３６に記載の水中動力装置またはタービンユニット。
【請求項３８】
前記動力装置は、貫通する液体流路を有するハウジングと、該流路内の液体流に応答して回転するように該流路内に取り付けられた少なくとも１つのタービン手段とを備える少なくとも１つの水中タービンユニットを有する、請求項１〜３７のいずれかに記載の水中動力装置またはタービンユニット。
【請求項３９】
前記動力装置は、貫通する液体流路を有するハウジングと、該流路内の水流に応答して回転するように該流路内に取り付けられた少なくとも１つのタービン手段とを備える少なくとも１つの水中タービンユニットを有し、該タービンユニットは、該タービンユニット内に解放可能に取り付けられたタービンユニット部品またはタービンモジュールを備え、該タービンユニット部品は、前記少なくとも１つのタービン手段およびポンプ手段のうち少なくとも１つを備える、請求項１〜３７のいずれかに記載の水中動力装置またはタービンユニット。
【請求項４０】
前記タービンユニット部品は、前記ハウジングの側部または側壁内の開口部または間隙を通じて解放可能に取り付けられる、請求項３９に記載の水中動力装置またはタービンユニット。
【請求項４１】
前記動力装置は、ハウジングおよび少なくとも１つのタービン手段を備える少なくとも１つの水中タービンユニットを有し、
前記ハウジングは、該ハウジングの第１の端部と第２の端部との間を貫通して伸長する液体流路を有し、該流路は、ベンチュリからなる流量制限を形成し、
前記少なくとも１つのタービン手段は、前記流路に対して平行な軸に沿って回転するように該流路内に取り付けられ、使用時に、前記ハウジングは静止し、前記タービンは、前記流路内を流れる液体に応答して回転し、
前記ハウジングは、その最外面上にウエスト部を備え、該ウエスト部は、前記ハウジングの前記第１および第２の端部よりも幅狭である、
請求項１〜３７のいずれかに記載の水中動力装置またはタービンユニット。
【請求項４２】
前記水中タービンユニットは、少なくとも１つのタービンを有し、該タービンは少なくとも１つのブレードを有し、該少なくとも１つのブレードは、その中央翼弦線に対して対称である少なくとも１つの翼を備える、請求項１〜３７のいずれかに記載の水中動力装置またはタービンユニット。
【請求項４３】
水中動力装置またはタービンユニットのハウジングまたはその他の部分から、タービンモジュールを取り付け、および／または取り外すためのドッキング装置。
【請求項４４】
前記ドッキング装置は、該ドッキング装置を前記タービンモジュールに解放可能に接続するための手段を有する、請求項４３に記載のドッキング装置。
【請求項４５】
前記ドッキング装置は、該ドッキング装置を前記ハウジングに対して位置決めするための手段を有する、請求項４４または４３に記載のドッキング装置。
【請求項４６】
前記ドッキング装置は、前記タービンモジュールを保持する油圧ラッチを備える、請求項４３〜４５のいずれかに記載のドッキング装置。
【請求項４７】
前記ドッキング装置は、少なくとも１つのおよび好適には２つの横方向に対称的に配置されたオス部またはメス部を有し、該オス部またはメス部は、それぞれの前記ハウジングの少なくとも１つのおよび好適には２つの横方向に対称的に配置されたメス部またはオス部と結合可能である、請求項４３〜４６のいずれかに記載のドッキング装置。
【請求項４８】
少なくとも１つのおよび好適には２つの横方向に対称的に配置されたメス部またはオス部を有するハウジングであって、対応する少なくとも１つのおよび好適には２つの横方向に対称的に配置されたオス部またはメス部を有するドッキング装置と結合可能である、ハウジング。
【請求項４９】
請求項４８に記載のハウジングを備える、水中動力装置またはタービンユニット。
【請求項５０】
（ａ）間隔をあけて配置された第１のハウジング部および第２のハウジング部を用意し、
（ｂ）該第１および第２のハウジング部のための接続手段を用意し、
（ｃ）前記ハウジング部の間にタービンモジュールを設置し、
（ｄ）前記ハウジング部のうちの１つまたは双方、および／またはタービンモジュールを、長手方向に移動させて、前記ハウジング部およびタービンモジュールを相互に適切に位置づけ、
（ｅ）前記接続手段を固定する、
工程を有する、水中動力装置の組立て方法。
【請求項５１】
工程（ｅ）は工程（ｄ）の後に行われる、請求項５０に記載の方法。
【請求項５２】
工程（ｅ）は工程（ｄ）の前に行われる、請求項５０に記載の方法。
【請求項５３】
前記工程により、その後に、陸上でまたはそのまま水中で、前記モジュールを前記ハウジング部から取り外すことが可能になる、請求項５０〜５２のいずれかに記載の方法。
【請求項５４】
前記工程により、前記モジュールと前記第１のおよび／または第２のハウジング部との間をシール手段によりシールすることが可能になる、請求項５０〜５３のいずれかに記載の方法。
【請求項５５】
前記タービンモジュールは環状部材を備え、該環状部材は、好適には前記ハウジング部とともに、前記タービンモジュール内のタービンのためのハウジングまたはカウルを形成する、請求項５０〜５４のいずれかに記載の方法。
【請求項５６】
前記ハウジングは貫通流路を有し、該貫通流路内において、前記タービンは、該流路の長手軸を中心に回転するように設置される、請求項５０〜５５のいずれかに記載の方法。
【請求項５７】
前記方法は、
水中または陸上のいずれかにベースを用意し、
前記ハウジング部およびタービンモジュールのアセンブリを前記ベース上に据え付ける、
工程を有し、
選択的に、前記ベースおよびアセンブリは協働する接続手段を備える、
請求項５０〜５６のいずれかに記載の方法。
【請求項５８】
発電機である、請求項１〜４２のいずれかに記載の水中動力装置またはタービンユニット。
【請求項５９】
請求項１〜４２のいずれかに記載の水中動力装置またはタービンユニットを少なくとも１つ備える、発電施設。
【請求項６０】
添付図面の参照により本明細書中において記述されている、水中動力装置またはタービンユニット。
【請求項６１】
添付図面の参照により本明細書中において記述されている、ドッキング装置。
【請求項６２】
添付図面の参照により本明細書中において記述されている、水中動力装置の組立て方法。
【請求項６３】
添付図面の参照により本明細書中において記述されている、潮汐力発電施設。
【発明の詳細な説明】
【技術分野】
【０００１】
本発明は、動力装置およびタービンユニットに関する。詳細には、本発明は、水中タービンユニットを備える動力装置と、水中タービンユニットとに関するが、これらには限定されない。
【０００２】
また、本発明は、たとえば潮汐流または水流によって駆動する水中動力装置に関し、少なくとも１つまたは複数のこのような動力装置を用いた発電施設に関する。
【背景技術】
【０００３】
増加するエネルギー需要を満たすために、環境に優しい電力の生産方法を開発することが一般的に要望されている。関心が持たれている分野の１つとして、潮汐力エネルギーを利用した発電があげられる。これは、水中タービンを用いることで実現される。
【０００４】
公知の水中タービンに関連する問題として、水の侵入を防止するために、タービンの一部として設けられた動力装置アセンブリを入念にシールする必要性と、メンテナンスの困難性があげられる。これは、あらゆるタービン部品にメンテナンスを施す際には、タービン全体を回収する必要があるためである。また、発電の最適化についても問題がある。
【０００５】
なお、特許文献１および２の内容については、参照により、本明細書中に含められる。
【先行技術文献】
【特許文献】
【０００６】
【特許文献１】ＷＯ０３／０２９６４５Ａ１号公報
【特許文献２】ＷＯ２００６／１２５９５９Ａ１号公報
【発明の概要】
【発明が解決しようとする課題】
【０００７】
先行技術において、多数の問題が特定されている。
【０００８】
問題の１つとして、たとえば、製造工場またはドックなどの地上、船などの水面上、または水中にある際に、水中タービンユニット内でのタービンユニット部品の最初の位置決めを円滑に行えないという問題がある。
【０００９】
別の問題として、たとえば水中における、タービンユニット内からのタービンユニット部品の撤去、および／または水中タービンユニット内でのタービンユニット部品の交換を円滑に行えないという問題もある。
【００１０】
また、海底、大洋底または河床上での、安定した位置および／または所望の方向へ水中タービンユニットを位置決めすることについても問題がある。
【００１１】
さらに、海底、大洋底または河床上にあるときのタービンユニットの安定性に問題がある。
【００１２】
また、タービンユニット部品とハウジングとの間のシール性に問題がある。
【００１３】
対処すべき他の問題として、再生可能かつ予測可能な動力装置を提供することがある。
【００１４】
本発明の少なくとも１つの態様の少なくとも１つの実施形態の目的は、先行技術における１つ以上の問題を除去または少なくとも軽減することである。
【００１５】
本発明の少なくとも１つの態様の１つ以上の実施形態のさらなる目的は、使用時において、潮汐流および／または水流によって駆動される水中タービンユニットであって、好ましくは潮汐流方向への移動または再調整の必要なく、引き潮および／または満ち潮において動作することが可能である、水中タービンユニットを提供することである。
【００１６】
本発明の少なくとも１つの態様の少なくとも１つの実施形態のさらなる目的は、実質的にまたは全体的に水中にあり、これにより、環境影響が最小化される動力装置または発電施設を提供することである。
【００１７】
本発明の少なくとも１つの態様の少なくとも１つの実施形態の別のさらなる目的は、潜水士または遠隔作業機（ＲＯＶ）を用いることなく、メンテナンスを行うことが可能である動力装置を提供することである。
【課題を解決するための手段】
【００１８】
本発明の第１の態様によれば、第１のハウジング部と、第２のハウジング部と、前記第１および第２のハウジング部を接続し、および／または間隔をあけて配置するための接続手段とを備える、水中動力装置またはタービンユニットが提供される。
【００１９】
前記接続手段は、前記第１および第２のハウジング部の間における間隙または空間を埋める。
【００２０】
前記第１のハウジング部は、少なくとも部分的にフラスト円錐（frusto-conical）形状の内面を備え、および／または、少なくとも部分的にフラスト円錐形状の外面を備える。
【００２１】
前記第２のハウジング部は、少なくとも部分的にフラスト円錐形状の内面を備え、および／または、少なくとも部分的にフラスト円錐形状の外面を備える。
【００２２】
前記第１および第２のハウジング部のそれぞれの端部、たとえばより幅狭の端部は、相互に間隔をあけて近接して設けられる。
【００２３】
前記接続手段は、前記第１および第２のハウジング部の間における間隔を制御または選択できる。
【００２４】
前記接続手段は、１つのまたは好ましくは複数の細長部材またはバーを備える。
【００２５】
前記または各バーの一端部は、前記第１のハウジング部に、たとえば取外し可能に、取り付けられる、または取付け可能であり、前記または各バーの別の端部は、前記第２のハウジング部に、たとえば取外し可能に、取り付けられる、または取付け可能である。
【００２６】
たとえば、前記バーの端部はフランジ状である。該バーの端部は、前記各ハウジング部、たとえば、その外面上に、溶接、ボルト止め、その他の方法により固定される。
【００２７】
前記バーは、前記両ハウジング部の下側周面の周囲に配置される。
【００２８】
前記バーは、円周方向に相互に間隔をあけて配置される。
【００２９】
前記水中動力装置またはタービンユニットは、タービンモジュールなどのモジュールも備え、該モジュールは、前記第１および第２のハウジング部の間の間隙または空間に取外し可能に収容される。
【００３０】
本発明の第２の態様によれば、３本の脚部を有するベースを備える、水中動力装置またはタービンユニットが提供される。
【００３１】
最も好適には、３本の脚部のみが設けられる。
【００３２】
その結果、特に安定した配置構成が得られる。
【００３３】
１対の脚部（第１の脚部および第２の脚部）が一端に設けられ、第３の脚部が別の端部に設けられる。
【００３４】
前記第１および第２の脚部は、前記動力装置の長手軸の両側に対称的に配置される。
【００３５】
前記第３の脚部は、前記長手軸に沿って、または該長手軸上に配置される。
【００３６】
前記脚部は中空である。
【００３７】
前記脚部はバラストを備える。
【００３８】
前記第１および第２の脚部の体積は実質的に同じである。
【００３９】
前記第３の脚部の体積は、前記第１および第２の脚部のそれぞれの体積より大きく、たとえば実質的に２倍である。
【００４０】
好ましくは、前記第３の脚部から前記第１および第２の脚部の間へと長手方向に伸長するバーまたは部材（トーションバー）が設けられる。
【００４１】
さらに好ましくは、さらなるバーが、前記第１および第２の脚部の間に（横方向に）設けられ、該バーの端部は、前記第１および第２の脚部に接続される。
【００４２】
第１および第２の対称的に配置された別のさらなるバーが、前記バーと前記さらなるバーとの間に設けられる。
【００４３】
本発明の第３の態様によれば、第１および第２の端部ならびに複数の脚部を有する流路を備える水中動力装置またはタービンユニットであって、前記脚部は、前記流路の端部から長手方向外側に配置され、および／または、前記流路の両側から横方向外側に配置される、水中動力装置またはタービンユニットが提供される。
【００４４】
その結果、前記脚部によって該動力装置を持ち上げることが容易となる。
【００４５】
好適な配置構成において、１対の脚部（第１および第２の脚部）が前記端部の一方より外側に設けられ、第３の脚部が前記端部の他方より外側に設けられる。また、前記１対の脚部は、前記ハウジングの両側より外側に設けられる。
【００４６】
本発明の第４の態様によれば、ハウジングおよびタービンモジュールを備える水中動力装置またはタービンユニットであって、前記タービンモジュールは、前記ハウジングに対して、もしくは前記ハウジング内に、取外し可能に収容され、前記ハウジングと前記タービンモジュールとの間にシール手段が設けられる、水中動力装置またはタービンユニットが提供される。
【００４７】
前記ハウジングは、第１のハウジング部および第２のハウジング部を備える。
【００４８】
前記タービンモジュールは、前記第１および第２のハウジング部の間に設置可能である。
【００４９】
前記シール手段は、ポリマー材料からなる。
【００５０】
前記シール手段は、前記モジュールの第１の端部と前記第１のハウジング部との間に設けられた第１のシール手段を備える。
【００５１】
前記シール手段は、前記モジュールの第２の端部と前記第２のハウジング部との間に設けられた第２のシール手段を備える。
【００５２】
前記第１のシール手段は、前記モジュールの第１の端部の上側円周部の少なくとも一部の周囲に設けられるフランジの下面に設けられる。
【００５３】
前記第１のシール手段は、さらにあるいは代替的に、前記モジュールの第１の端部の下側円周部の少なくとも一部の周囲に設けられる、別のフランジの下面に設けられる。
【００５４】
前記第２のシール手段は、前記第１のシール手段と同一または同様であるが、前記モジュールの前記第２の端部に設けられる。すなわち、前記第２のシール手段は、前記モジュールの第２の端部の上側円周部の少なくとも一部の周囲に設けられたフランジの下面に設けられる。前記第２のシール手段は、前記モジュールの第２の端部の下側円周部の少なくとも一部の周囲に設けられた別のフランジの下面に、さらにあるいは代替的に設けられる。
【００５５】
本発明の第５の態様によれば、地盤係合手段または周囲に伸長するスカートを有する、少なくとも１つの地盤係合脚部を備える、水中動力装置またはタービンユニットが提供される。
【００５６】
前記地盤係合手段または周囲に伸長するスカートは、前記少なくとも１つの脚を、海底、大洋底または河床などの前記地盤に押し付けることを補助する。
【００５７】
前記地盤係合手段が周囲に伸長するスカートを有する場合、前記スカートは、たとえば閉形状のように連続するものであるか、開形状である。
【００５８】
少なくとも１つの、好適にはそれぞれの脚部は、中空管からなり、該中空管は、使用時に、実質的に鉛直方向に配置される。
【００５９】
上記のいずれかの態様のうちのいずれかの特徴を、１つずつまたは複数で組み合わせてもよい。
【００６０】
以下のさらなる特徴は、上記態様のうちのいずれかに適用される。
【００６１】
前記動力装置は、貫通する流路を有するハウジングと、該流路内の水流に応答して回転するように該流路内に取り付けられた少なくとも１つのタービン手段とを備える、少なくとも１つの水中タービンユニットを有し、該タービンユニットは、該タービンユニット内に解放可能に取り付けられたタービンユニット部品またはタービンモジュールを備え、該タービンユニット部品は、前記少なくとも１つのタービン手段およびポンプ手段のうち少なくとも１つを備える。
【００６２】
前記タービンユニット部品は、前記ハウジングの側部または側壁内の開口部または間隙を通じて解放可能に取り付けられる。
【００６３】
前記動力装置は、内部に貫通する液体流路を有するハウジングと、前記流路内の液体流に応答して回転するように該流路内に取り付けられた、少なくとも１つのタービン手段とを有する、少なくとも１つの水中タービンユニットを備える。
【００６４】
前記動力装置は、ハウジングおよび少なくとも１つのタービン手段を備える、少なくとも１つの水中タービンユニットを有し、
前記ハウジングは、該ハウジングの第１および第２の端部の間を貫通して伸長する液体流路を有し、該流路は、ベンチュリからなる流量制限を形成し、
前記少なくとも１つのタービン手段は、前記流路に対して平行な軸に沿って回転するように該流路内に取り付けられ、使用時に、前記ハウジングは静止し、前記タービンは、前記流路内を流れる液体に応答して回転し、
前記ハウジングは、その最外面上にウエスト部を備え、該ウエスト部は、前記ハウジングの前記第１および第２の端部よりも幅狭である。
【００６５】
前記水中タービンユニットは、少なくとも１つのタービンを有し、該タービンは少なくとも１つのブレードを有し、該少なくとも１つのブレードは、その中央翼弦線に対して対称である少なくとも１つの翼を備える。
【００６６】
本発明の第６の態様によれば、水中動力装置またはタービンユニットのハウジングまたはその他の部分から、タービンモジュールまたはカセットを取り付け、および／または取り外すためのドッキング装置が提供される。
【００６７】
前記ドッキング装置は、該ドッキング装置を前記タービンモジュールに解放可能に接続するための手段を有する。
【００６８】
前記ドッキング装置は、該ドッキング装置を前記ハウジングに対して位置決めするための手段を有する。
【００６９】
前記ドッキング装置は、前記タービンモジュールを保持する油圧ラッチを備える。
【００７０】
前記ドッキング装置は、少なくとも１つのおよび好適には２つの横方向に対称的に配置されたオス部またはメス部を有し、該オス部またはメス部は、それぞれに対応する前記ハウジングの少なくとも１つのおよび好適には２つの横方向に対称的に配置されたメス部またはオス部と結合可能である
本発明の第７の態様によれば、少なくとも１つのおよび好適には２つの横方向に対称的に配置されたメス部またはオス部を有する水中ハウジングであって、対応する少なくとも１つのおよび好適には２つの横方向に対称的に配置されたオス部またはメス部を有するドッキング装置と結合可能である水中ハウジングが提供される。
【００７１】
本発明の第８の態様によれば、本発明の第７の態様によるハウジングを備える水中動力装置またはタービンユニットが提供される。
【００７２】
本発明の第９の態様によれば、水中動力装置を組み立てる方法であって、
（ａ）間隔をあけて配置された第１のハウジング部および第２のハウジング部を用意し、
（ｂ）該第１および第２のハウジング部のための接続手段を用意し、
（ｃ）前記ハウジング部の間にタービンモジュールを設置し、
（ｄ）前記ハウジング部のうちの１つまたは双方、および／またはタービンモジュールを、長手方向に移動させて、前記ハウジング部およびタービンモジュールを相互に（適切に）設置し、
（ｅ）前記接続手段を固定する、
工程を有する、組立方法が提供される。
【００７３】
好適には、工程（ｅ）は工程（ｄ）の後に行われる。
【００７４】
あるいは、工程（ｅ）は工程（ｄ）の前に行われる。
【００７５】
適切な設置により、陸上でまたはそのまま水中で、前記モジュールを前記ハウジング部から取り外し、必要に応じて、および好適には、前記ハウジング部間で前記モジュールを再設置することが可能になる。取外しおよび／または再設置は、前記タービンモジュールを実質的に垂直方向に上昇または下降させることにより、実施することができる。
【００７６】
適切な設置により、前記モジュールと前記第１のハウジング部および／または第２のハウジング部との間をシール手段によりシールすることも可能となる。
【００７７】
前記モジュールは、必要に応じて前記ハウジング部とともに、前記モジュールのタービンのためのハウジングまたはカウルを形成する、環状部材を備える。前記ハウジングは、貫通流路を有し、該貫通流路内において、前記タービンは、該流路の長手軸を中心に回転するように設置される。
【００７８】
変形例において、前記方法は、
水中または陸上のいずれかにベースを用意し、
前記ハウジング部およびタービンモジュールを備えるアセンブリを前記ベース上に据え付ける、
工程を有する。
【００７９】
前記ベースおよびアセンブリは、たとえば、前後のメス−オス結合部品のような、協働する（解放可能な）接続手段を有する。
【００８０】
本発明の前記態様のいずれかによる前記水中動力装置のいずれかは、発電機である。
【００８１】
本発明の前記態様のいずれかによる前記水中動力装置は、たとえば潮汐流における引き潮または満ち潮のような、２つの流れ方向のうちの１つにおいて、動作可能である。
【００８２】
前記動力装置は流路を備える。前記流路は、ベンチュリ（たとえば、先細末広ベンチュリ）を備える。
【００８３】
前記タービンは、前記流路の中間点または幅狭部位に備えられる。
【００８４】
前記ハウジングは、その外面上にウエスト部を備え、これにより、前記ハウジング内および／または前記ハウジング周囲の流体の流れがアシストされる。
【００８５】
前記シール手段は、折畳み可能、押しつぶし可能、および／または、中空である。
【図面の簡単な説明】
【００８６】
【図１】図１は、本発明の第１の実施形態による動力装置の概略側面図である。
【図２】図２は、図１の動力装置の一部を含む支持ベースまたはトライポッドの概略平面図である。
【図３】図３は、図１の動力装置の概略端面図である。
【図４】図４は、図１の動力装置のタービンモジュールまたはカセットの平面図である。
【図５】図５は、図１の動力装置のハウジングおよびタービンモジュールの平面図である。
【図６】図６は、図４のタービンモジュールの側面図である。
【図７】図７は、ドッキング装置または補助具に取り付けられたタービンモジュールの側面図である。
【図８】図８は、図７のドッキング補助具に取り付けられた前記タービンモジュールの正面図である。
【図９】図９は、図１の動力装置のハウジングの一部の正面断面図である。
【図１０】図１０は、図４のタービンモジュールの正面図である。
【図１１】図１１は、本発明の第２の実施形態による動力装置についての一端側からの部分切取斜視図である。
【図１２】図１２は、本発明の第３の実施形態による動力装置の一端側からの斜視図である。
【図１３】図１３は、図１２の複数の動力装置が動作可能に接続されて形成された潮汐力発電施設を示す。
【図１４】図１４は、本発明の第４の実施形態による動力装置のタービンモジュールまたはカセットが取り外された状態の概略側面図である。
【図１５】図１５は、図１４の動力装置の概略端面図である。
【図１６】図１６は、ドッキング装置または補助具に取り付けられた図１４の動力装置のタービンモジュールまたはカセットの断面側面図である。
【図１７】図１７は、ドッキング補助具に取り付けられた図１６のタービンモジュールの端面図である。
【図１８】図１８は、図１４の動力装置の部分の分解断面側面図である。
【図１９（ａ）】図１９（ａ）は、本発明の第５の実施形態による動力装置の側面図である。
【図１９（ｂ）】図１９（ｂ）は、本発明の第５の実施形態による動力装置の端面図である。
【発明を実施するための形態】
【００８７】
以下、一例として、本発明の実施形態について、添付図面を参照しながら説明する。
【００８８】
まず、図面には、本発明の第１の実施形態による水中動力装置、タービンユニットまたは潮汐装置が、主に参照符号２で示されている。水中動力装置、タービンユニットまたは潮汐装置２は、本明細書中の前記「発明の概要」の欄に記載されている特徴を備える。
【００８９】
すなわち、水中動力装置２は、第１のハウジング部４と、第２のハウジング部６と、第１のハウジング部４および第２のハウジング部６を接続するための手段８とを備える。第１のハウジング部４は、少なくとも部分的にフラスト円錐形状の内面１０を備え、および／または、少なくとも部分的にフラスト円錐形状の外面１２を備える。第２のハウジング部６は、少なくとも部分的にフラスト円錐形状の内面１４を備え、および／または、少なくとも部分的にフラスト円錐形状の外面１６を備える。
【００９０】
端部１８および２０（すなわち、第１のハウジング部４および第２のハウジング部６のより幅狭の端部）は、相互に間隔をあけて近位に配置される。
【００９１】
接続手段８は、第１のハウジング部４と第２のハウジング部６との間の間隔を制御および選択する。接続手段８は、複数の細長部材またはバー２２からなる。各バー２２の一端２４は、第１のハウジング部４に取り付けられる／取付け可能であり（任意的に、取外し可能に取り付けられる／取付け可能であり）、各バーの別の端部２６は、第２のハウジング部６に取り付けられる／取り付け可能である（任意的に、取外し可能に取り付けられる／取付け可能である）。端部２４および２６はフランジ状である。端部２４および２６は、各ハウジング部（たとえばその外面）に溶接、ボルト止め、または別の方法で固定される。バー２２は、船舶用のランチング・ブラケットと同様のものである。
【００９２】
バー２２は、ハウジング部４、６の下側周面の周囲に、円周方向に相互に間隔をあけて配置される。この実施形態では、７本のバー２２が設けられている。
【００９３】
水中動力装置２は、３本の脚部３０、３２、３４を有するベース２８を備える。これにより、特に安定した配置構成が得られる。
【００９４】
１対の脚部または柱部３０、３２が一端に配置され、第３の脚部または柱部３４が別の端部に配置される。第１の脚部３０および第２の脚部３２は、動力装置２の長手軸の両側に実質的に対称的に設けられる。第３の脚部３４は、（上方から見たときに）長手軸上に設けられる。
【００９５】
脚部３０、３２、３４は、典型的には中空であり、バラストを備える。第１の脚部３０および第２の脚部３２の体積は、実質的に同じである。第３の脚部３４の体積は、第１および第２の脚部３０、３２のいずれかの体積の実質的に２倍である。すなわち、第３の脚部３４の体積は、第１および第2の脚部３０、３２の体積の合計と実質的に同じである。
【００９６】
バー（トーションバー）３６は、第３の脚部３４から長手方向に第１の脚部３０と第２の脚部３２との間に向けて伸長する。さらなるバー３８が、第１の脚部３０と第２の脚部３２との間に（横方向に）設けられ、バー３６の端部がバー３８に接続される。第１のおよび第２の対称的に配置された別のさらなるバー４０、４２が、バー３６とさらなるバー３８との間に設けられる。
【００９７】
水中動力装置またはタービンユニット５は、第１の端部４６および第２の端部４８ならびに複数の脚部３０、３２、３４を有する流路４４を備える。脚部３０、３２、３４は、流路４４の端部４６、４８から長手方向の外側に配置される。
【００９８】
この配置により、脚部３０、３２、３４によって、動力装置２をより容易に持ち上げることが可能となる。これは、ストラップまたはウェブなどの吊上げ手段を、各脚部３０、３２、３４に接続されたバー／さらなるバー３６の周囲に容易に配置することができるからである。各脚部３０、３２、３４と関連付けられたこのような吊上げ手段により、デバイス５の３点吊上げが可能になる。吊上げブラケット３１は、吊上げのウェブまたはストラップを固定するために、追加的にあるいは代替的に設けられる。
【００９９】
この開示された配置では、一端４６より外側方向に出た１対の脚部３０、３２と、他端４８より外側方向に出た第３の脚部３４とが設けられる。１対の脚部３０、３２は、ハウジング部４およびハウジング部６からなるハウジング５０の両側ないしは両横断方向の外側に設けられる。
【０１００】
水中動力装置２は、ハウジング５０およびタービンモジュール５２を備える。タービンモジュール５２は、ハウジング５０に対してまたはハウジング５０内部において取外し可能に収容されるようになっており、ハウジング５０とタービンモジュール５２との間にシール手段５４が設けられる。
【０１０１】
ハウジング５０は、第１のハウジング部４および第２のハウジング部６を備える。タービンモジュール５２は、第１のハウジング部４と第２のハウジング部６との間に設置可能である。シール手段５４は、典型的にはポリマー材料からなる。シール手段５４は、モジュール５２の第１の端部５８と第１のハウジング部４との間に設けられた第１のシール手段５６を有する。また、シール手段５４は、モジュール５２の第２の端部６２と第２のハウジング部６との間に設けられた第２のシール手段６０を有する。第１のシール手段５６の第１の部分は、モジュール５２の第１の端部５８の上側円周部分の少なくとも一部の周囲に設けられるフランジ６４の下面に設けられる。第１のシール手段５６の第２の部分は、別のフランジ６６またはモジュール５２の第１の端部５８の下側円周部分の少なくとも一部の周囲に設けられた部分の下面に設けられる。使用時において、第１のシール手段５６の第２の部分は、ハウジング部４に設けられたフランジ６７の上面に接する。
【０１０２】
第２のシール手段６０は、第１のシール手段５６と同一または類似するものであるが、モジュール５２の第２の端部６２に設けられる。
【０１０３】
この配置により、デバイス５はシール手段５４をセルフシールする。タービンモジュール５２の重量によって、シール手段５４は、タービンモジュール５２と第１および第２のハウジング部４、６の間をシールする。
【０１０４】
水中動力装置またはタービンユニットは、少なくとも１つの地盤係合脚部３０、３２、３４を備える。地盤係合脚部３０、３２、３４の少なくとも一部は、周辺に伸長するスカートまたは地盤係合手段を備える。前記周辺に伸長するスカートまたは地盤係合手段は、少なくとも１つの脚部３０、３２、３４を、地盤（たとえば、海底、大洋底または河床）に押し付けることを補助する。
【０１０５】
動力装置２は、少なくとも１つの水中タービンユニットを備える。該水中タービンユニットは、内部を貫通する液体流路４４を有するハウジング５０と、少なくとも１つのタービン手段（すなわち、流路４４内を流れる液体の流れに応答して回転するための、流路４４内に取り付けられたモジュール５２）とを備える。
【０１０６】
動力装置２は、内部を貫通する流路４４を有するハウジング５０を備える少なくとも１つの水中タービンユニットと、少なくとも１つのタービン手段（すなわち、流路４４内を流れる液体の流れに応答して回転するための、流路４４中に取り付けられたモジュール５２）とを備える。該タービンユニットは、当該タービンユニット中に解放可能に取り付けることができるタービンユニット部品またはタービンモジュール５２を備える。該タービンユニット部品またはモジュール５２は、前記少なくとも１つのタービン手段５４およびポンプ手段のうち少なくとも１つを備える。前記タービンユニット部品またはモジュール５２は、ハウジング５０の側壁の中に、開口部または間隙を通じて解放可能に取り付けることができる。
【０１０７】
動力装置２は、ハウジング５０および少なくとも１つのタービン手段５４を備える少なくとも１つの水中タービンユニットを有する。ハウジング５０は、ハウジング５０の第１の端部と第２の端部との間の内部を貫通する液体流路４４を有する。流路４４は、ベンチュリからなる流量制限部を形成し、少なくとも１つのタービン手段またはモジュール５２は、流路４４に対して平行な軸に沿って回転するよう流路４４中に取り付けることができる。使用時において、ハウジング５０は静止しており、タービン５４は、流路４４内を流れる液体に応答して回転し、ハウジング５０には、その最外面上にウエスト部５６が設けられる。ウエスト部５６は、ハウジング５０の第１の端部および第２の端部よりも幅狭となっている。
【０１０８】
水中タービンユニットまたはモジュール５２は、選択的かつ有効的に少なくとも１つのタービン５４を有する。タービン５４は、少なくとも１つのブレード５８を備える。少なくとも１つのブレード５８は、少なくとも１つの翼を備える。この翼は、その中央翼弦線について対称である。
【０１０９】
ハウジング５０、ないしは水中動力装置またはタービンユニット２の残り部分から、タービンモジュール５２の取付け、および／または取外しのためのドッキング装置６０も提供されるが、これについて、以下、より詳細に説明する。
【０１１０】
ドッキング装置５９は、ドッキング装置５９をタービンモジュール５２に解放可能に接続するための手段６１を有する。また、ドッキング装置５９は、ドッキング装置５９をハウジング５０に対して位置決めするための手段６３も有する。
【０１１１】
水中動力装置２を組み立てる方法は、
（ａ）間隔をあけて配置された第１および第２のハウジング部４、６を用意し、
（ｂ）第１および第２のハウジング部４、６のための接続手段８を用意し、
（ｃ）ハウジング部４、６の間にタービンモジュール５２を設置し、
（ｄ）ハウジング部４、６のうちの１つまたは双方、および／またはタービンモジュール５２を、長手方向に移動させて、ハウジング部４、６、およびタービンモジュール５２を相互に適切に設置し、
（ｅ）接続手段８を固定する、
工程を備える。
【０１１２】
好ましい実施形態においては、工程（ｅ）は工程（ｄ）後に行われる。しかし、工程（ｅ）を工程（ｄ）の前に行うことも可能である。適切な設置により、陸上でも水中でも、モジュール５２をハウジング部４、６から取り外すことが可能になる。また、適切な設置により、モジュール５２と、第１および／または第２のハウジング部４、６との間がシール手段５４によってシールされる。
【０１１３】
モジュール５２は、環状部材６２を備える。環状部材６２は、必要に応じてハウジング部４およびハウジング部６とともに、前記モジュールのまたは前記モジュール内のタービン５４のためのハウジングまたはカウルを形成する。ハウジング５０は、貫通流路４４を有する。貫通流路４４内に、タービン５４が、流路４４の長手軸を中心に回転するように設置される。
【０１１４】
本発明は、海底に潮汐力タービンを保持し、修理時およびメンテナンス時に、タービンの除去および交換ないしは部品の移動を容易にできるシステムを提供する。
【０１１５】
潮汐力デバイスをそのまま保持するためには、潮流および天候に起因して、該デバイスを滑らせようとする力、回転させようとする力、横転させようとする力に打ち勝つ必要がある。これらの力に打ち勝ち、潮汐力タービンを海底に保持するためには、様々な手段（たとえば、杭打ち、アンカリング、重力基礎の使用）がある。杭打ちおよびアンカーの使用に関しては、重大な技術的困難性およびリスクを伴うため、本発明における好適な手段としては、先行技術文献において記載されている、杭打ちもアンカーの使用も必要としない重力基礎が採用される。
【０１１６】
潮流からエネルギーを抽出するデバイスは、その性質上、高潮流エリアに設置され、強い力に晒される。すなわち、デバイスをそのまま保持するためには、極めて重い重量が必要である。そのため、構造が全体として水面に戻るのを回避しつつ、修理およびメンテナンスのために、タービンを回収したり、修理およびメンテナンス用の部品（タービンモジュール５２と呼ばれる）を移動させたりできるようにするためには、これらを、潮汐力デバイスの主要な構造物であるハウジング内に、個別に取り付け、かつ、除去可能に保持することが好ましい。製造および組立て段階において、主要な構造物またはハウジング５０と、除去可能なタービンモジュール５２との間のシールの完全性を達成しておき、動力装置または潮汐力デバイス２の耐用期間にわたり、該タービンモジュールの除去および再設置を可能にすることが、重要である。前記潮汐力デバイスは、海底に２５年以上とどまるため、長期の寸法安定性を達成する設計が極めて重要である。
【０１１７】
前記タービンモジュールを潮汐力デバイスに設置するために、タービンモジュール５２内に、潮汐力デバイスのハウジングと係合してシールを形成するポリマーシールを設けることが好ましい。なお、シールの交換を可能とするためには、該シールの少なくとも一部を、ハウジング５０ではなく、タービンモジュール５２に取り付けることが重要である。
【０１１８】
前記潮汐力デバイスの構造が移動すると、タービンモジュール５２と、ハウジング５０または潮汐力デバイスとの間の嵌合いが緩むかまたは締まる。タービンモジュール５２とハウジング５０との間の嵌合いが緩むと、(i) シール性が低減し、性能が失われ、(ii) 反転する潮流の推力により、潮汐力デバイス２内においてタービンモジュールが移動する。前記嵌合いが締まると、タービンモジュール５２は潮汐力デバイス２に結合され、タービンモジュール５２の取外しや再組込みがなされることが防止される。
【０１１９】
本発明の潮汐力デバイス２は、２つの別個のハウジング部分または部品４、６（これらは、２つのベンチュリ状のダクトを形成する）を有する。これらの部分４、６は、突出形状を有するため、時間とともにたわみやすい。このような傾向を防止するため、調節可能な補強バーまたは接続手段８を用いて、２つのハウジング部分４、６を互いに締結し、動力装置２の補強を図るとともに、間隙の寸法の最終的な調節がなされる。
【０１２０】
構造安定性をさらに維持するため、ハウジング部分４、６ならびにタービンモジュール５２は、大型トルクバー３６上に取り付けられる。大型トルクバー３６は、海底の前処理を不要とする３脚装置により懸架される。この３脚装置は、３本の垂直管または柱部または脚部３０、３２、３４からなる。これらの柱部３０、３２、３４は、スチール製で、バラストを有しており、トルクバー３６およびクロスバー３８、４０、４２により接続されている。
【０１２１】
単独の柱部３４の断面積は、クロスバー３８の両端にある２つの柱部３０、３２の断面積の合計と等しく、これにより、柱部３０、３２、３４の下側での地耐圧を等しく維持し、不等沈下およびサッギングを回避する。砂の多い海底または泥の多い海底で潮汐力デバイス２を配置する場合、柱部３０、３２、３４のたとえばその周囲に、いわゆる「スカート」を取り付けて、表面積を拡大し、沈下に対する抵抗を得る。
【０１２２】
タービンモジュール５２の設置に際して、シール手段５４の損傷を回避するため、タービンモジュール５２を正確にハウジング５０内に据え付けることが重要である。正確に据え付けるためには、ドッキング装置６０を用いて、タービンモジュール５２をハウジング５０内に案内する。ドッキング装置６０は、２つの鉛直方向の突刺ピン６８と、タービンモジュール５２への固定用の油圧駆動のロックまたはラッチング手段７３を備えた水平方向のスプレッダービーム７０とを備える。「バケット」または中空の管状手段７１が、潮汐力デバイス２に取り付けられている。この手段７１は、ドッキング装置６０が（タービンモジュール５２とともに）水上船（図示せず）上にあるクレーンから降下されると、突刺ピン６８を受け入れて、案内する。
【０１２３】
タービンモジュール５２が潮汐力デバイス２内へと降下すると、タービンモジュール５２の底部にある台形状のドッキング手段７２が潮汐力デバイス２のレセプタクル７１と係合し、タービンモジュール５２を所定位置に固定する。それと同時に、前記タービンモジュール頂部に設置されたドッキング手段が、潮汐力デバイス２のピンと係合する。
【０１２４】
タービンモジュール５２が潮汐力デバイス２と係合すると、前記ドッキング補助具の油圧ロック手段７３は解放され、該ドッキング補助具は前記水上船に回収される。
【０１２５】
タービンモジュール５２を回収するために、ドッキング装置または補助具６０は、タービンモジュール５２と係合するまで、潮汐力デバイス２の受入れバケット内まで降下して、タービンモジュール５２へのラッチング後、双方は水上まで戻される。このようにして、タービンモジュール５２のメンテナンスまたは交換が可能となる。
【０１２６】
この実施形態において、第１の支持部７４および第２の支持部７６のそれぞれにより、第１のハウジング部４および第２のハウジング部６は、バー３６に接続される。ハウジング部４およびハウジング部６の間には、タービンモジュール受入れ手段７８およびタービンモジュール用支柱８０が設けられる。タービンモジュール５２は、動力装置モジュール８２を備える。
【０１２７】
図１１には、本発明の第２の実施形態による動力装置１０２が示されている。図中、同様の部分には、「１００」が加算されていることを除き、図１の動力装置２と同一の参照符号が付されている。
【０１２８】
動力装置１０２は、タービンモジュール用支柱を備えていない点で、動力装置２と異なっている。
【０１２９】
図１２および図１３には、本発明の第３の実施形態による動力装置２０２が示されている。図中、同様の部分には、「２００」が加算されていることを除き、図１の動力装置２と同一の参照符号が付されている。
【０１３０】
動力装置２０２は、直線ベース２８４を有する。直線ベース２８４は、第１のハウジング部４および第２のハウジング部６からベース２８４の長手方向の縁部２８６へと伸長するストラット２７４を備える。
【０１３１】
図１４〜図１８には、本発明の第４の実施形態による動力装置３０２が示されている。図中、同様の部分には、「３００」が加算されていることを除き、図１の動力装置２と同一の参照符号が付されている。
【０１３２】
水中動力装置またはタービンユニット３０２は、ハウジング３５０およびタービンモジュール３５２を備える。タービンモジュール３５２は、ハウジング３５０に対してまたはハウジング３５０内に、取外し可能に収容できるようになっており、ハウジング３５０とタービンモジュール３５２との間にシール手段３５４が設けられる。
【０１３３】
ハウジング３５０は、第１のハウジング部３０４および第２のハウジング部３０６を備える。タービンモジュール３５２は、第１のハウジング部３０４と第２のハウジング部３０６との間に設置可能である。シール手段３５４は、典型的にはポリマー材料からなる。シール手段３５４は、モジュール３５２の第１の端部３５８と第１のハウジング部３０４との間に設けられた第１のシール手段３５６を有する。シール手段３５４は、モジュール３５２の第２の端部３６２と第２のハウジング部３０６との間に設けられた第２のシール手段３６０を有する。第１のシール手段３５６は、フランジ３６４の下面に設けられる。フランジ３６４は、モジュール３５２の第１の端部３５８の上側円周部分の少なくとも一部の周囲に設けられる。第１のシール手段３５６は、別のフランジまたは部分３６６の下面に設けられる。フランジまたは部分３６６は、モジュール３５２の第１の端部３５８の下側円周部分の少なくとも一部の周囲に設けられる。第２のシール手段３６０は、第１のシール手段３５６と同一または同様であるが、モジュール３５２の第２の端部３６２に設けられている。
【０１３４】
図１６に示されるように、フランジ３６４の下面に設けられた第１のシール手段３５６の第１の部分は、部分３６６の下面に設けられた第１のシール手段３５６の第２の部分から長手方向の外側に設けられる。第１のシール手段３５６の第１の部分および第２の部分は連続し、かつ相互に一体になっており、第１のハウジング部４の端部に隣接する中間点３５７において、キンク（ねじれ）またはＬ字型段差を有する。第２のシール手段３６０は、第２のハウジング部６の対向する端部において同様に配置される。
【０１３５】
また、タービンモジュール３５２は、支持部材またはヨーク３８６を備える。支持部材３８６は、ピン３８８を備える。この実施形態において、４本のピン３８８が、２本ずつ支持部材３８６の両端部に設けられる。タービンモジュール３５３が、所定位置まで降下すると、これらのピン３８８は、第１および第２のハウジング部３０４、３０６上の対応する凹部３９０と結合する。これにより、タービンモジュール３５２の重量は、第１および第２のハウジング部３０４、３０６を通じて、支持部材３８６によって支持される。タービンモジュール３５２の重量によって、前記配置におけるシール効果が得られる。
【０１３６】
また、動力装置３０２は、最下側の接続部材３２２間に横断バー３９２を備える。
【０１３７】
図１８に示すように、シール手段３５４は、エンドレス／クローズドの長さを持つ、たとえばポリマー材料からなる。シール手段３５４は、タービンモジュール３５２に適切に固定される。シール手段３５４は、典型的には、負荷下で圧搾または圧潰されるように、中空となっている。
【０１３８】
タービンモジュール３５２を据え付ける際には、タービンモジュール３５２は、矢印「Ｂ」で示される実質的に鉛直方向に降下させられ、前記ドッキング装置のオス部分が前記ハウジング上に設けられたメス部分と嵌合し、該メス部分内に受け入れられる。
【０１３９】
図１９（ａ）および（ｂ）には、本発明の第５の実施形態による動力装置４０２が示されている。図中、同様の部分には、「４００」が加算されていることを除き、同様の参照符号が付されている。動力装置４０２は、ベース４２８と、ハウジング部４０４、４０６、ならびにタービンモジュール４５２を備えるアセンブリ４２９からなる。
【０１４０】
使用時、陸上または好適には水中のいずれにおいても、ベース４２８が設置され、アセンブリ４９７がベース４２８上に降下して、協働するオス部４９８およびメス部４９９を介してベース４２８に固定される。この変形例は、重量物運搬船が利用できないか、または供給が限られている場合に、有用である。脚部４３０、４３２、４３４には、バラストを事前に充填しておくか、または設置後にバラストを充填することができる。
【０１４１】
本明細書中にこれまで記載した本発明の実施形態は、単に例示を目的として示されているに過ぎず、いかなる場合にも、発明の範囲を限定することを意図するものではないと理解されるべきものである。
【０１４２】
本発明による動力装置を用いた発電施設の能力は８ＭＷｓであり、これは、５，０００軒の家庭への電力供給量に相当する。
【０１４３】
本発明は、潮汐流を用いて、動力装置のタービンに動力を供給することができる。潮汐流は、典型的には、潮の満ち引きによって発生する比較的高速に移動する流れである。
【０１４４】
開示された動力装置は、干潮および満潮どちらにおいても動作させることができる。
【図１】
2010521609.tif 000003
【図２】
2010521609.tif 000004
【図３】
2010521609.tif 000005
【図４】
2010521609.tif 000006
【図５】
2010521609.tif 000007
【図６】
2010521609.tif 000008
【図７】
2010521609.tif 000009
【図８】
2010521609.tif 000010
【図９】
2010521609.tif 000011
【図１０】
2010521609.tif 000012
【図１１】
2010521609.tif 000013
【図１２】
2010521609.tif 000014
【図１３】
2010521609.tif 000015
【図１４】
2010521609.tif 000016
【図１５】
2010521609.tif 000017
【図１６】
2010521609.tif 000018
【図１７】
2010521609.tif 000019
【図１８】
2010521609.tif 000020
【図１９（ａ）】
2010521609.tif 000021
【図１９（ｂ）】
2010521609.tif 000022
【手続補正書】
【提出日】平成21年11月16日(2009.11.16)
【手続補正１】
【補正対象書類名】明細書
【補正対象項目名】全文
【補正方法】変更
【補正の内容】
【発明の詳細な説明】
【技術分野】
【０００１】
本発明は、動力装置およびタービンユニットに関する。詳細には、本発明は、水中タービンユニットを備える動力装置と、水中タービンユニットとに関するが、これらには限定されない。
【０００２】
また、本発明は、たとえば潮汐流または水流によって駆動する水中動力装置に関し、少なくとも１つまたは複数のこのような動力装置を用いた発電施設に関する。
【背景技術】
【０００３】
増加するエネルギー需要を満たすために、環境に優しい電力の生産方法を開発することが一般的に要望されている。関心が持たれている分野の１つとして、潮汐力エネルギーを利用した発電があげられる。これは、水中タービンを用いることで実現される。
【０００４】
公知の水中タービンに関連する問題として、水の侵入を防止するために、タービンの一部として設けられた動力装置アセンブリを入念にシールする必要性と、メンテナンスの困難性があげられる。これは、あらゆるタービン部品にメンテナンスを施す際には、タービン全体を回収する必要があるためである。また、発電の最適化についても問題がある。
【０００５】
なお、特許文献１および２の内容については、参照により、本明細書中に含められる。
【先行技術文献】
【特許文献】
【０００６】
【特許文献１】ＷＯ０３／０２９６４５Ａ１号公報
【特許文献２】ＷＯ２００６／１２５９５９Ａ１号公報
【発明の概要】
【発明が解決しようとする課題】
【０００７】
先行技術において、多数の問題が特定されている。
【０００８】
問題の１つとして、たとえば、製造工場またはドックなどの地上、船などの水面上、または水中にある際に、水中タービンユニット内でのタービンユニット部品の最初の位置決めを円滑に行えないという問題がある。
【０００９】
別の問題として、たとえば水中における、タービンユニット内からのタービンユニット部品の撤去、および／または水中タービンユニット内でのタービンユニット部品の交換を円滑に行えないという問題もある。
【００１０】
また、海底、大洋底または河床上での、安定した位置および／または所望の方向へ水中タービンユニットを位置決めすることについても問題がある。
【００１１】
さらに、海底、大洋底または河床上にあるときのタービンユニットの安定性に問題がある。
【００１２】
また、タービンユニット部品とハウジングとの間のシール性に問題がある。
【００１３】
対処すべき他の問題として、再生可能かつ予測可能な動力装置を提供することがある。
【００１４】
本発明の少なくとも１つの態様の少なくとも１つの実施形態の目的は、先行技術における１つ以上の問題を除去または少なくとも軽減することである。
【００１５】
本発明の少なくとも１つの態様の１つ以上の実施形態のさらなる目的は、使用時において、潮汐流および／または水流によって駆動される水中タービンユニットであって、好ましくは潮汐流方向への移動または再調整の必要なく、引き潮および／または満ち潮において動作することが可能である、水中タービンユニットを提供することである。
【００１６】
本発明の少なくとも１つの態様の少なくとも１つの実施形態のさらなる目的は、実質的にまたは全体的に水中にあり、これにより、環境影響が最小化される動力装置または発電施設を提供することである。
【００１７】
本発明の少なくとも１つの態様の少なくとも１つの実施形態の別のさらなる目的は、潜水士または遠隔作業機（ＲＯＶ）を用いることなく、メンテナンスを行うことが可能である動力装置を提供することである。
【課題を解決するための手段】
【００１８】
本発明の第１の態様によれば、第１のハウジング部と、第２のハウジング部と、前記第１および第２のハウジング部を接続し、および／または間隔をあけて配置するための接続手段とを備える、水中動力装置またはタービンユニットが提供される。
【００１９】
前記接続手段は、前記第１および第２のハウジング部の間における間隙または空間を埋める。
【００２０】
前記第１のハウジング部は、少なくとも部分的にフラスト円錐（frusto-conical）形状の内面を備え、および／または、少なくとも部分的にフラスト円錐形状の外面を備える。
【００２１】
前記第２のハウジング部は、少なくとも部分的にフラスト円錐形状の内面を備え、および／または、少なくとも部分的にフラスト円錐形状の外面を備える。
【００２２】
前記第１および第２のハウジング部のそれぞれの端部、たとえばより幅狭の端部は、間隔をあけて近接して設けられる。
【００２３】
前記接続手段は、前記第１および第２のハウジング部の間における間隔を制御または選択できる。
【００２４】
前記接続手段は、１つのまたは好ましくは複数の細長部材またはバーを備える。
【００２５】
前記または各バーの一端部は、前記第１のハウジング部に、たとえば取外し可能に、取り付けられる、または取付け可能であり、前記または各バーの別の端部は、前記第２のハウジング部に、たとえば取外し可能に、取り付けられる、または取付け可能である。
【００２６】
たとえば、前記バーの端部はフランジ状である。該バーの端部は、前記各ハウジング部、たとえば、その外面上に、溶接、ボルト止め、その他の方法により固定される。
【００２７】
前記バーは、前記両ハウジング部の下側周面の周囲に配置される。
【００２８】
前記バーは、円周方向に相互に間隔をあけて配置される。
【００２９】
前記水中動力装置またはタービンユニットは、タービンモジュールなどのモジュールも備え、該モジュールは、前記第１および第２のハウジング部の間の間隙または空間に取外し可能に収容される。
【００３０】
本発明の第２の態様によれば、３本の脚部を有するベースを備える、水中動力装置またはタービンユニットが提供される。
【００３１】
最も好適には、３本の脚部のみが設けられる。
【００３２】
その結果、特に安定した配置構成が得られる。
【００３３】
１対の脚部（第１の脚部および第２の脚部）が一端に設けられ、第３の脚部が別の端部に設けられる。
【００３４】
前記第１および第２の脚部は、前記動力装置の長手軸の両側に対称的に配置される。
【００３５】
前記第３の脚部は、前記長手軸に沿って、または該長手軸上に配置される。
【００３６】
前記脚部は中空である。
【００３７】
前記脚部はバラストを備える。
【００３８】
前記第１および第２の脚部の体積は実質的に同じである。
【００３９】
前記第３の脚部の体積は、前記第１および第２の脚部のそれぞれの体積より大きく、たとえば実質的に２倍である。
【００４０】
好ましくは、前記第３の脚部から前記第１および第２の脚部の間へと長手方向に伸長するバーまたは部材（トーションバー）が設けられる。
【００４１】
さらに好ましくは、さらなるバーが、前記第１および第２の脚部の間に（横方向に）設けられ、該バーの端部は、前記第１および第２の脚部に接続される。
【００４２】
第１および第２の対称的に配置された別のさらなるバーが、前記バーと前記さらなるバーとの間に設けられる。
【００４３】
本発明の第３の態様によれば、第１および第２の端部ならびに複数の脚部を有する流路を備える水中動力装置またはタービンユニットであって、前記脚部は、前記流路の端部から長手方向外側に配置され、および／または、前記流路の両側から横方向外側に配置される、水中動力装置またはタービンユニットが提供される。
【００４４】
その結果、前記脚部によって該動力装置を持ち上げることが容易となる。
【００４５】
好適な配置構成において、１対の脚部（第１および第２の脚部）が前記端部の一方より外側に設けられ、第３の脚部が前記端部の他方より外側に設けられる。また、前記１対の脚部は、前記ハウジングの両側より外側に設けられる。
【００４６】
本発明の第４の態様によれば、ハウジングおよびタービンモジュールを備える水中動力装置またはタービンユニットであって、前記タービンモジュールは、前記ハウジングに対して、もしくは前記ハウジング内に、取外し可能に収容され、前記ハウジングと前記タービンモジュールとの間にシール手段が設けられる、水中動力装置またはタービンユニットが提供される。
【００４７】
前記ハウジングは、第１のハウジング部および第２のハウジング部を備える。
【００４８】
前記タービンモジュールは、前記第１および第２のハウジング部の間に設置可能である。
【００４９】
前記シール手段は、ポリマー材料からなる。
【００５０】
前記シール手段は、前記モジュールの第１の端部と前記第１のハウジング部との間に設けられた第１のシール手段を備える。
【００５１】
前記シール手段は、前記モジュールの第２の端部と前記第２のハウジング部との間に設けられた第２のシール手段を備える。
【００５２】
前記第１のシール手段は、前記モジュールの第１の端部の上側円周部の少なくとも一部の周囲に設けられるフランジの下面に設けられる。
【００５３】
前記第１のシール手段は、さらにあるいは代替的に、前記モジュールの第１の端部の下側円周部の少なくとも一部の周囲に設けられる、別のフランジの下面に設けられる。
【００５４】
前記第２のシール手段は、前記第１のシール手段と同一または同様であるが、前記モジュールの前記第２の端部に設けられる。すなわち、前記第２のシール手段は、前記モジュールの第２の端部の上側円周部の少なくとも一部の周囲に設けられたフランジの下面に設けられる。前記第２のシール手段は、前記モジュールの第２の端部の下側円周部の少なくとも一部の周囲に設けられた別のフランジの下面に、さらにあるいは代替的に設けられる。
【００５５】
本発明の第５の態様によれば、地盤係合手段または周囲に伸長するスカートを有する、少なくとも１つの地盤係合脚部を備える、水中動力装置またはタービンユニットが提供される。
【００５６】
前記地盤係合手段または周囲に伸長するスカートは、前記少なくとも１つの脚を、海底、大洋底または河床などの前記地盤に押し付けることを補助する。
【００５７】
前記地盤係合手段が周囲に伸長するスカートを有する場合、前記スカートは、たとえば閉形状のように連続するものであるか、非連続のものである。
【００５８】
少なくとも１つの、好適にはそれぞれの脚部は、中空管からなり、該中空管は、使用時に、実質的に鉛直方向に配置される。
【００５９】
上記のいずれかの態様のうちのいずれかの特徴を、１つずつまたは複数で組み合わせてもよい。
【００６０】
以下のさらなる特徴は、上記態様のうちのいずれかに適用される。
【００６１】
前記動力装置は、貫通する流路を有するハウジングと、該流路内の水流に応答して回転するように該流路内に取り付けられた少なくとも１つのタービン手段とを備える、少なくとも１つの水中タービンユニットを有し、該タービンユニットは、該タービンユニット内に解放可能に取り付けられたタービンユニット部品またはタービンモジュールを備え、該タービンユニット部品は、前記少なくとも１つのタービン手段およびポンプ手段のうち少なくとも１つを備える。
【００６２】
前記タービンユニット部品は、前記ハウジングの側部または側壁内の開口部または間隙を通じて解放可能に取り付けられる。
【００６３】
前記動力装置は、内部に貫通する液体流路を有するハウジングと、前記流路内の液体流に応答して回転するように該流路内に取り付けられた、少なくとも１つのタービン手段とを有する、少なくとも１つの水中タービンユニットを備える。
【００６４】
前記動力装置は、ハウジングおよび少なくとも１つのタービン手段を備える、少なくとも１つの水中タービンユニットを有し、
前記ハウジングは、該ハウジングの第１および第２の端部の間を貫通して伸長する液体流路を有し、該流路は、ベンチュリからなる流量制限を形成し、
前記少なくとも１つのタービン手段は、前記流路に対して平行な軸に沿って回転するように該流路内に取り付けられ、使用時に、前記ハウジングは静止し、前記タービンは、前記流路内を流れる液体に応答して回転し、
前記ハウジングは、その最外面上にウエスト部を備え、該ウエスト部は、前記ハウジングの前記第１および第２の端部よりも幅狭である。
【００６５】
前記水中タービンユニットは、少なくとも１つのタービンを有し、該タービンは少なくとも１つのブレードを有し、該少なくとも１つのブレードは、その中央翼弦線に対して対称である少なくとも１つの翼を備える。
【００６６】
本発明の第６の態様によれば、水中動力装置またはタービンユニットのハウジングまたはその他の部分から、タービンモジュールまたはカセットを取り付け、および／または取り外すためのドッキング装置が提供される。
【００６７】
前記ドッキング装置は、該ドッキング装置を前記タービンモジュールに解放可能に接続するための手段を有する。
【００６８】
前記ドッキング装置は、該ドッキング装置を前記ハウジングに対して位置決めするための手段を有する。
【００６９】
前記ドッキング装置は、前記タービンモジュールを保持する油圧ラッチを備える。
【００７０】
前記ドッキング装置は、少なくとも１つのおよび好適には２つの横方向に対称的に配置されたオス部またはメス部を有し、該オス部またはメス部は、それぞれに対応する前記ハウジングの少なくとも１つのおよび好適には２つの横方向に対称的に配置されたメス部またはオス部と結合可能である
本発明の第７の態様によれば、少なくとも１つのおよび好適には２つの横方向に対称的に配置されたメス部またはオス部を有する水中ハウジングであって、対応する少なくとも１つのおよび好適には２つの横方向に対称的に配置されたオス部またはメス部を有するドッキング装置と結合可能である水中ハウジングが提供される。
【００７１】
本発明の第８の態様によれば、本発明の第７の態様によるハウジングを備える水中動力装置またはタービンユニットが提供される。
【００７２】
本発明の第９の態様によれば、水中動力装置を組み立てる方法であって、
（ａ）間隔をあけて配置された第１のハウジング部および第２のハウジング部を用意し、
（ｂ）該第１および第２のハウジング部のための接続手段を用意し、
（ｃ）前記ハウジング部の間にタービンモジュールを設置し、
（ｄ）前記ハウジング部のうちの１つまたは双方、および／またはタービンモジュールを、長手方向に移動させて、前記ハウジング部およびタービンモジュールを相互に（適切に）設置し、
（ｅ）前記接続手段を固定する、
工程を有する、組立方法が提供される。
【００７３】
好適には、工程（ｅ）は工程（ｄ）の後に行われる。
【００７４】
あるいは、工程（ｅ）は工程（ｄ）の前に行われる。
【００７５】
適切な設置により、陸上でまたはそのまま水中で、前記モジュールを前記ハウジング部から取り外し、必要に応じて、および好適には、前記ハウジング部間で前記モジュールを再設置することが可能になる。取外しおよび／または再設置は、前記タービンモジュールを実質的に垂直方向に上昇または下降させることにより、実施することができる。
【００７６】
適切な設置により、前記モジュールと前記第１のハウジング部および／または第２のハウジング部との間をシール手段によりシールすることも可能となる。
【００７７】
前記モジュールは、必要に応じて前記ハウジング部とともに、前記モジュールのタービンのためのハウジングまたはカウルを形成する、環状部材を備える。前記ハウジングは、貫通流路を有し、該貫通流路内において、前記タービンは、該流路の長手軸を中心に回転するように設置される。
【００７８】
変形例において、前記方法は、
水中または陸上のいずれかにベースを用意し、
前記ハウジング部およびタービンモジュールを備えるアセンブリを前記ベース上に据え付ける、
工程を有する。
【００７９】
前記ベースおよびアセンブリは、たとえば、前後のメス−オス結合部品のような、協働する（解放可能な）接続手段を有する。
【００８０】
本発明の前記態様のいずれかによる前記水中動力装置のいずれかは、発電機である。
【００８１】
本発明の前記態様のいずれかによる前記水中動力装置は、たとえば潮汐流における引き潮または満ち潮のような、２つの流れ方向のうちの１つにおいて、動作可能である。
【００８２】
前記動力装置は流路を備える。前記流路は、ベンチュリ（たとえば、先細末広ベンチュリ）を備える。
【００８３】
前記タービンは、前記流路の中間点または幅狭部位に備えられる。
【００８４】
前記ハウジングは、その外面上にウエスト部を備え、これにより、前記ハウジング内および／または前記ハウジング周囲の流体の流れがアシストされる。
【００８５】
前記シール手段は、折畳み可能、押しつぶし可能、および／または、中空である。
【図面の簡単な説明】
【００８６】
【図１】図１は、本発明の第１の実施形態による動力装置の概略側面図である。
【図２】図２は、図１の動力装置の一部を含む支持ベースまたはトライポッドの概略平面図である。
【図３】図３は、図１の動力装置の概略端面図である。
【図４】図４は、図１の動力装置のタービンモジュールまたはカセットの平面図である。
【図５】図５は、図１の動力装置のハウジングおよびタービンモジュールの平面図である。
【図６】図６は、図４のタービンモジュールの側面図である。
【図７】図７は、ドッキング装置または補助具に取り付けられたタービンモジュールの側面図である。
【図８】図８は、図７のドッキング補助具に取り付けられた前記タービンモジュールの正面図である。
【図９】図９は、図１の動力装置のハウジングの一部の正面断面図である。
【図１０】図１０は、図４のタービンモジュールの正面図である。
【図１１】図１１は、本発明の第２の実施形態による動力装置についての一端側からの部分切取斜視図である。
【図１２】図１２は、本発明の第３の実施形態による動力装置の一端側からの斜視図である。
【図１３】図１３は、図１２の複数の動力装置が動作可能に接続されて形成された潮汐力発電施設を示す。
【図１４】図１４は、本発明の第４の実施形態による動力装置のタービンモジュールまたはカセットが取り外された状態の概略側面図である。
【図１５】図１５は、図１４の動力装置の概略端面図である。
【図１６】図１６は、ドッキング装置または補助具に取り付けられた図１４の動力装置のタービンモジュールまたはカセットの断面側面図である。
【図１７】図１７は、ドッキング補助具に取り付けられた図１６のタービンモジュールの端面図である。
【図１８】図１８は、図１４の動力装置の部分の分解断面側面図である。
【図１９（ａ）】図１９（ａ）は、本発明の第５の実施形態による動力装置の側面図である。
【図１９（ｂ）】図１９（ｂ）は、本発明の第５の実施形態による動力装置の端面図である。
【発明を実施するための形態】
【００８７】
以下、一例として、本発明の実施形態について、添付図面を参照しながら説明する。
【００８８】
まず、図１〜１０には、本発明の第１の実施形態による水中動力装置、タービンユニットまたは潮汐装置が、主に参照符号２で示されている。水中動力装置、タービンユニットまたは潮汐装置２は、本明細書中の前記「発明の概要」の欄に記載されている特徴を備える。
【００８９】
すなわち、水中動力装置２は、第１のハウジング部４と、第２のハウジング部６と、第１のハウジング部４および第２のハウジング部６を接続するための手段８とを備える。第１のハウジング部４は、少なくとも部分的にフラスト円錐形状の内面１０を備え、および／または、少なくとも部分的にフラスト円錐形状の外面１２を備える。第２のハウジング部６は、少なくとも部分的にフラスト円錐形状の内面１４を備え、および／または、少なくとも部分的にフラスト円錐形状の外面１６を備える。
【００９０】
端部１８および２０（すなわち、第１のハウジング部４および第２のハウジング部６のより幅狭の端部）は、間隔をあけて近位に配置される。
【００９１】
接続手段８は、第１のハウジング部４と第２のハウジング部６との間の間隔を制御および選択する。接続手段８は、複数の細長部材またはバー２２からなる。各バー２２の一端２４は、第１のハウジング部４に取り付けられる／取付け可能であり（任意的に、取外し可能に取り付けられる／取付け可能であり）、各バーの別の端部２６は、第２のハウジング部６に取り付けられる／取り付け可能である（任意的に、取外し可能に取り付けられる／取付け可能である）。端部２４および２６はフランジ状である。端部２４および２６は、各ハウジング部（たとえばその外面）に溶接、ボルト止め、または別の方法で固定される。バー２２は、船舶用のランチング・ブラケットと同様のものである。
【００９２】
バー２２は、ハウジング部４、６の下側周面の周囲に、円周方向に相互に間隔をあけて配置される。この実施形態では、７本のバー２２が設けられている。
【００９３】
水中動力装置２は、３本の脚部３０、３２、３４を有するベース２８を備える。これにより、特に安定した配置構成が得られる。
【００９４】
１対の脚部または柱部３０、３２が一端に配置され、第３の脚部または柱部３４が別の端部に配置される。第１の脚部３０および第２の脚部３２は、動力装置２の長手軸の両側に実質的に対称的に設けられる。第３の脚部３４は、（上方から見たときに）長手軸上に設けられる。
【００９５】
脚部３０、３２、３４は、典型的には中空であり、バラストを備える。第１の脚部３０および第２の脚部３２の体積は、実質的に同じである。第３の脚部３４の体積は、第１および第２の脚部３０、３２のいずれかの体積の実質的に２倍である。すなわち、第３の脚部３４の体積は、第１および第2の脚部３０、３２の体積の合計と実質的に同じである。
【００９６】
バー（トーションバー）３６は、第３の脚部３４から長手方向に第１の脚部３０と第２の脚部３２との間に向けて伸長する。さらなるバー３８が、第１の脚部３０と第２の脚部３２との間に（横方向に）設けられ、バー３６の端部がバー３８に接続される。第１のおよび第２の対称的に配置された別のさらなるバー４０、４２が、バー３６とさらなるバー３８との間に設けられる。
【００９７】
水中動力装置２は、第１の端部４６および第２の端部４８ならびに複数の脚部３０、３２、３４を有する流路４４を備える。脚部３０、３２、３４は、流路４４の端部４６、４８から長手方向の外側に配置される。
【００９８】
この配置により、脚部３０、３２、３４によって、水中動力装置２をより容易に持ち上げることが可能となる。これは、ストラップまたはウェブなどの吊上げ手段を、各脚部３０、３２、３４に接続されたバー／さらなるバー３６、３８の周囲に容易に配置することができるからである。各脚部３０、３２、３４と関連付けられたこのような吊上げ手段により、３点吊上げが可能になる。吊上げブラケット３１は、吊上げのウェブまたはストラップを固定するために、追加的にあるいは代替的に設けられる。
【００９９】
この開示された配置では、一端４６より外側方向に出た１対の脚部３０、３２と、他端４８より外側方向に出た第３の脚部３４とが設けられる。１対の脚部３０、３２は、ハウジング部４およびハウジング部６からなるハウジング５０の両側ないしは両横断方向の外側に設けられる。
【０１００】
水中動力装置２は、ハウジング５０およびタービンモジュール５２を備える。タービンモジュール５２は、ハウジング５０に対してまたはハウジング５０内部において取外し可能に収容されるようになっており、ハウジング５０とタービンモジュール５２との間にシール手段５４が設けられる。
【０１０１】
ハウジング５０は、第１のハウジング部４および第２のハウジング部６を備える。タービンモジュール５２は、第１のハウジング部４と第２のハウジング部６との間に設置可能である。シール手段５４は、典型的にはポリマー材料からなる。シール手段５４は、モジュール５２の第１の端部５８と第１のハウジング部４との間に設けられた第１のシール手段５６を有する。また、シール手段５４は、モジュール５２の第２の端部６２と第２のハウジング部６との間に設けられた第２のシール手段６０を有する。第１のシール手段５６の第１の部分は、モジュール５２の第１の端部５８の上側円周部分の少なくとも一部の周囲に設けられるフランジ６４の下面に設けられる。第１のシール手段５６の第２の部分は、別のフランジ６６またはモジュール５２の第１の端部５８の下側円周部分の少なくとも一部の周囲に設けられた部分の下面に設けられる。使用時において、第１のシール手段５６の第２の部分は、ハウジング部４に設けられたフランジ６７の上面に接する。
【０１０２】
第２のシール手段６０は、第１のシール手段５６と同一または類似するものであるが、モジュール５２の第２の端部６２に設けられる。
【０１０３】
この配置により、デバイス５はセルフシールする。タービンモジュール５２の重量によって、シール手段５４は、タービンモジュール５２と第１および第２のハウジング部４、６の間をシールする。
【０１０４】
水中動力装置２は、少なくとも１つの地盤係合脚部３０、３２、３４を備える。地盤係合脚部３０、３２、３４の少なくとも一部は、周辺に伸長するスカートまたは地盤係合手段を備える。前記周辺に伸長するスカートまたは地盤係合手段は、少なくとも１つの脚部３０、３２、３４を、地盤（たとえば、海底、大洋底または河床）に押し付けることを補助する。
【０１０５】
水中動力装置２は、内部を貫通する流路４４を有するハウジング５０を備える少なくとも１つの水中タービンユニットと、少なくとも１つのタービン手段（すなわち、流路４４内を流れる液体の流れに応答して回転するための、流路４４中に取り付けられたモジュール５２）とを備える。該タービンユニットは、当該タービンユニット中に解放可能に取り付けることができるタービンユニット部品またはタービンモジュール５２を備える。該タービンユニット部品またはモジュール５２は、前記少なくとも１つのタービン手段５４およびポンプ手段のうち少なくとも１つを備える。前記タービンユニット部品またはモジュール５２は、ハウジング５０の側壁の中に、開口部または間隙を通じて解放可能に取り付けることができる。
【０１０６】
動力装置２は、ハウジング５０および少なくとも１つのタービン手段５４を備える少なくとも１つの水中タービンユニットを有する。ハウジング５０は、ハウジング５０の第１の端部と第２の端部との間の内部を貫通する液体流路４４を有する。流路４４は、ベンチュリからなる流量制限部を形成し、少なくとも１つのタービン手段またはモジュール５２は、流路４４に対して平行な軸に沿って回転するよう流路４４中に取り付けることができる。使用時において、ハウジング５０は静止しており、タービン５４は、流路４４内を流れる液体に応答して回転し、ハウジング５０には、その最外面上にウエスト部５６が設けられる。ウエスト部５６は、ハウジング５０の第１の端部および第２の端部よりも幅狭となっている。
【０１０７】
水中タービンユニットまたはモジュール５２は、選択的かつ有効的に少なくとも１つのタービン５４を有する。タービン５４は、少なくとも１つのブレード５８を備える。少なくとも１つのブレード５８は、少なくとも１つの翼を備える。この翼は、その中央翼弦線について対称である。
【０１０８】
ハウジング５０、ないしは水中動力装置またはタービンユニット２の残り部分から、タービンモジュール５２の取付け、および／または取外しのためのドッキング装置６０も提供されるが、これについて、以下、より詳細に説明する。
【０１０９】
ドッキング装置５９は、ドッキング装置５９をタービンモジュール５２に解放可能に接続するための手段６１を有する。また、ドッキング装置５９は、ドッキング装置５９をハウジング５０に対して位置決めするための手段６３も有する。
【０１１０】
水中動力装置２を組み立てる方法は、
（ａ）間隔をあけて配置された第１および第２のハウジング部４、６を用意し、
（ｂ）第１および第２のハウジング部４、６のための接続手段８を用意し、
（ｃ）ハウジング部４、６の間にタービンモジュール５２を設置し、
（ｄ）ハウジング部４、６のうちの１つまたは双方、および／またはタービンモジュール５２を、長手方向に移動させて、ハウジング部４、６、およびタービンモジュール５２を相互に適切に設置し、
（ｅ）接続手段８を固定する、
工程を備える。
【０１１１】
好ましい実施形態においては、工程（ｅ）は工程（ｄ）後に行われる。しかし、工程（ｅ）を工程（ｄ）の前に行うことも可能である。適切な設置により、陸上でも水中でも、モジュール５２をハウジング部４、６から取り外すことが可能になる。また、適切な設置により、モジュール５２と、第１および／または第２のハウジング部４、６との間がシール手段５４によってシールされる。
【０１１２】
モジュール５２は、環状部材６２を備える。環状部材６２は、必要に応じてハウジング部４およびハウジング部６とともに、前記モジュールのまたは前記モジュール内のタービン５４のためのハウジングまたはカウルを形成する。ハウジング５０は、貫通流路４４を有する。貫通流路４４内に、タービン５４が、流路４４の長手軸を中心に回転するように設置される。
【０１１３】
本発明は、海底に潮汐力タービンを保持し、修理時およびメンテナンス時に、タービンの除去および交換ないしは部品の移動を容易にできるシステムを提供する。
【０１１４】
潮汐力デバイスをそのまま保持するためには、潮流および天候に起因して、該デバイスを滑らせようとする力、回転させようとする力、横転させようとする力に打ち勝つ必要がある。これらの力に打ち勝ち、潮汐力タービンを海底に保持するためには、様々な手段（たとえば、杭打ち、アンカリング、重力基礎の使用）がある。杭打ちおよびアンカーの使用に関しては、重大な技術的困難性およびリスクを伴うため、本発明における好適な手段としては、先行技術文献において記載されている、杭打ちもアンカーの使用も必要としない重力基礎が採用される。
【０１１５】
潮流からエネルギーを抽出するデバイスは、その性質上、高潮流エリアに設置され、強い力に晒される。すなわち、デバイスをそのまま保持するためには、極めて重い重量が必要である。そのため、構造が全体として水面に戻るのを回避しつつ、修理およびメンテナンスのために、タービンを回収したり、修理およびメンテナンス用の部品（タービンモジュール５２と呼ばれる）を移動させたりできるようにするためには、これらを、潮汐力デバイスの主要な構造物であるハウジング内に、個別に取り付け、かつ、除去可能に保持することが好ましい。製造および組立て段階において、主要な構造物またはハウジング５０と、除去可能なタービンモジュール５２との間のシールの完全性を達成しておき、動力装置または潮汐力デバイス２の耐用期間にわたり、該タービンモジュールの除去および再設置を可能にすることが、重要である。前記潮汐力デバイスは、海底に２５年以上とどまるため、長期の寸法安定性を達成する設計が極めて重要である。
【０１１６】
前記タービンモジュールを潮汐力デバイスに設置するために、タービンモジュール５２内に、潮汐力デバイスのハウジングと係合してシールを形成するポリマーシールを設けることが好ましい。なお、シールの交換を可能とするためには、該シールの少なくとも一部を、ハウジング５０ではなく、タービンモジュール５２に取り付けることが重要である。
【０１１７】
前記潮汐力デバイスの構造が移動すると、タービンモジュール５２と、ハウジング５０または潮汐力デバイスとの間の嵌合いが緩むかまたは締まる。タービンモジュール５２とハウジング５０との間の嵌合いが緩むと、(i) シール性が低減し、性能が失われ、(ii) 反転する潮流の推力により、潮汐力デバイス２内においてタービンモジュールが移動する。前記嵌合いが締まると、タービンモジュール５２は潮汐力デバイス２に結合され、タービンモジュール５２の取外しや再組込みがなされることが防止される。
【０１１８】
本発明の潮汐力デバイス２は、２つの別個のハウジング部４、６（これらは、２つのベンチュリ状のダクトを形成する）を有する。これらの部分４、６は、突出形状を有するため、時間とともにたわみやすい。このような傾向を防止するため、調節可能な補強バーまたは接続手段８を用いて、２つのハウジング部分４、６を互いに締結し、動力装置２の補強を図るとともに、間隙の寸法の最終的な調節がなされる。
【０１１９】
構造安定性をさらに維持するため、ハウジング部４、６ならびにタービンモジュール５２は、大型トルクバー３６上に取り付けられる。大型トルクバー３６は、海底の前処理を不要とする３脚装置により懸架される。この３脚装置は、３本の垂直管または柱部または脚部３０、３２、３４からなる。これらの柱部３０、３２、３４は、スチール製で、バラストを有しており、トルクバー３６およびクロスバー３８、４０、４２により接続されている。
【０１２０】
単独の脚部３４の断面積は、クロスバー３８の両端にある２つの脚部３０、３２の断面積の合計と等しく、これにより、脚部３０、３２、３４の下側での地耐圧を等しく維持し、不等沈下およびサッギングを回避する。砂の多い海底または泥の多い海底で潮汐力デバイス２を配置する場合、柱部３０、３２、３４のたとえばその周囲に、いわゆる「スカート」を取り付けて、表面積を拡大し、沈下に対する抵抗を得る。
【０１２１】
タービンモジュール５２の設置に際して、シール手段５４の損傷を回避するため、タービンモジュール５２を正確にハウジング５０内に据え付けることが重要である。正確に据え付けるためには、ドッキング装置６０を用いて、タービンモジュール５２をハウジング５０内に案内する。ドッキング装置６０は、２つの鉛直方向の突刺ピン６８と、タービンモジュール５２への固定用の油圧駆動のロックまたはラッチング手段７３を備えた水平方向のスプレッダービーム７０とを備える。「バケット」または中空の管状手段７１が、潮汐力デバイス２に取り付けられている。この手段７１は、ドッキング装置６０が（タービンモジュール５２とともに）水上船（図示せず）上にあるクレーンから降下されると、突刺ピン６８を受け入れて、案内する。
【０１２２】
タービンモジュール５２が潮汐力デバイス２内へと降下すると、タービンモジュール５２の底部にある台形状のドッキング手段７２が潮汐力デバイス２のレセプタクル７１と係合し、タービンモジュール５２を所定位置に固定する。それと同時に、前記タービンモジュール頂部に設置されたドッキング手段が、潮汐力デバイス２のピンと係合する。
【０１２３】
タービンモジュール５２が潮汐力デバイス２と係合すると、前記ドッキング補助具の油圧ロック手段７３は解放され、該ドッキング補助具は前記水上船に回収される。
【０１２４】
タービンモジュール５２を回収するために、ドッキング装置または補助具６０は、タービンモジュール５２と係合するまで、潮汐力デバイス２の受入れバケット内まで降下して、タービンモジュール５２へのラッチング後、双方は水上まで戻される。このようにして、タービンモジュール５２のメンテナンスまたは交換が可能となる。
【０１２５】
この実施形態において、第１の支持部７４および第２の支持部７６のそれぞれにより、第１のハウジング部４および第２のハウジング部６は、バー３６に接続される。ハウジング部４およびハウジング部６の間には、タービンモジュール受入れ手段７８およびタービンモジュール用支柱８０が設けられる。タービンモジュール５２は、動力装置モジュール８２を備える。
【０１２６】
図１１には、本発明の第２の実施形態による動力装置１０２が示されている。図中、同様の部分には、「１００」が加算されていることを除き、図１の動力装置２と同一の参照符号が付されている。
【０１２７】
動力装置１０２は、タービンモジュール用支柱を備えていない点で、動力装置２と異なっている。
【０１２８】
図１２および図１３には、本発明の第３の実施形態による動力装置２０２が示されている。図中、同様の部分には、「２００」が加算されていることを除き、図１の動力装置２と同一の参照符号が付されている。
【０１２９】
動力装置２０２は、直線ベース２８４を有する。直線ベース２８４は、第１のハウジング部４および第２のハウジング部６からベース２８４の長手方向の縁部２８６へと伸長するストラット２７４を備える。
【０１３０】
図１４〜図１８には、本発明の第４の実施形態による動力装置またはタービンユニット３０２が示されている。図中、同様の部分には、「３００」が加算されていることを除き、図１の動力装置２と同一の参照符号が付されている。
【０１３１】
水中動力装置３０２は、ハウジング３５０およびタービンモジュール３５２を備える。タービンモジュール３５２は、ハウジング３５０に対してまたはハウジング３５０内に、取外し可能に収容できるようになっており、ハウジング３５０とタービンモジュール３５２との間にシール手段３５４が設けられる。
【０１３２】
ハウジング３５０は、第１のハウジング部３０４および第２のハウジング部３０６を備える。タービンモジュール３５２は、第１のハウジング部３０４と第２のハウジング部３０６との間に設置可能である。シール手段３５４は、典型的にはポリマー材料からなる。シール手段３５４は、モジュール３５２の第１の端部３５８と第１のハウジング部３０４との間に設けられた第１のシール手段３５６を有する。シール手段３５４は、モジュール３５２の第２の端部３６２と第２のハウジング部３０６との間に設けられた第２のシール手段３６０を有する。第１のシール手段３５６は、フランジ３６４の下面に設けられる。フランジ３６４は、モジュール３５２の第１の端部３５８の上側円周部分の少なくとも一部の周囲に設けられる。第１のシール手段３５６は、別のフランジまたは部分３６６の下面に設けられる。フランジまたは部分３６６は、モジュール３５２の第１の端部３５８の下側円周部分の少なくとも一部の周囲に設けられる。第２のシール手段３６０は、第１のシール手段３５６と同一または同様であるが、モジュール３５２の第２の端部３６２に設けられている。
【０１３３】
図１６に示されるように、フランジ３６４の下面に設けられた第１のシール手段３５６の第１の部分は、部分３６６の下面に設けられた第１のシール手段３５６の第２の部分から長手方向の外側に設けられる。第１のシール手段３５６の第１の部分および第２の部分は連続し、かつ相互に一体になっており、第１のハウジング部４の端部に隣接する中間点３５７において、キンク（ねじれ）またはＬ字型段差を有する。第２のシール手段３６０は、第２のハウジング部６の対向する端部において同様に配置される。
【０１３４】
また、タービンモジュール３５２は、支持部材またはヨーク３８６を備える。支持部材３８６は、ピン３８８を備える。この実施形態において、４本のピン３８８が、２本ずつ支持部材３８６の両端部に設けられる。タービンモジュール３５３が、所定位置まで降下すると、これらのピン３８８は、第１および第２のハウジング部３０４、３０６上の対応する凹部３９０と結合する。これにより、タービンモジュール３５２の重量は、第１および第２のハウジング部３０４、３０６を通じて、支持部材３８６によって支持される。タービンモジュール３５２の重量によって、前記配置におけるシール効果が得られる。
【０１３５】
また、動力装置３０２は、最下側の接続部材３２２間に横断バー３９２を備える。
【０１３６】
図１８に示すように、シール手段３５４は、エンドレス／クローズドの長さを持つ、たとえばポリマー材料からなる。シール手段３５４は、タービンモジュール３５２に適切に固定される。シール手段３５４は、典型的には、負荷下で圧搾または圧潰されるように、中空となっている。
【０１３７】
タービンモジュール３５２を据え付ける際には、タービンモジュール３５２は、矢印「Ｂ」で示される実質的に鉛直方向に降下させられ、前記ドッキング装置のオス部分が前記ハウジング上に設けられたメス部分と嵌合し、該メス部分内に受け入れられる。
【０１３８】
図１９（ａ）および（ｂ）には、本発明の第５の実施形態による動力装置４０２が示されている。図中、同様の部分には、「４００」が加算されていることを除き、同様の参照符号が付されている。動力装置４０２は、ベース４２８と、ハウジング部４０４、４０６、ならびにタービンモジュール４５２を備えるアセンブリからなる。
【０１３９】
使用時、陸上または好適には水中のいずれにおいても、ベース４２８が設置され、アセンブリ４９７がベース４２８上に降下して、協働するオス部４９８およびメス部４９９を介してベース４２８に固定される。この変形例は、重量物運搬船が利用できないか、または供給が限られている場合に、有用である。脚部４３０、４３２、４３４には、バラストを事前に充填しておくか、または設置後にバラストを充填することができる。
【０１４０】
本明細書中にこれまで記載した本発明の実施形態は、単に例示を目的として示されているに過ぎず、いかなる場合にも、発明の範囲を限定することを意図するものではないと理解されるべきものである。
【０１４１】
本発明による動力装置を用いた発電施設の能力は８ＭＷｓであり、これは、５，０００軒の家庭への電力供給量に相当する。
【０１４２】
本発明は、潮汐流を用いて、動力装置のタービンに動力を供給することができる。潮汐流は、典型的には、潮の満ち引きによって発生する比較的高速に移動する流れである。
【０１４３】
開示された動力装置は、干潮および満潮どちらにおいても動作させることができる。
【手続補正２】
【補正対象書類名】特許請求の範囲
【補正対象項目名】全文
【補正方法】変更
【補正の内容】
【特許請求の範囲】
【請求項１】
第１のハウジング部と、第２のハウジング部と、該第１および第２のハウジング部を接続し、および／または間隔をあけて配置するための接続手段とを備える、水中動力装置またはタービンユニット。
【請求項２】
前記接続手段は、前記第１および第２のハウジング部の間の間隙を埋める、請求項１に記載の水中動力装置またはタービンユニット。
【請求項３】
前記第１のハウジング部は、少なくとも部分的にフラスト円錐形状の内面を有し、および／または、少なくとも部分的にフラスト円錐形状の外面を有する、請求項１に記載の水中動力装置またはタービンユニット。
【請求項４】
前記第２のハウジング部は、少なくとも部分的にフラスト円錐形状の内面を有し、および／または、少なくとも部分的にフラスト円錐形状の外面を有する、請求項１に記載の水中動力装置またはタービンユニット。
【請求項５】
前記第１および第２のハウジング部のより幅狭の端部が、相互に間隔をあけて近接して配置される、請求項１に記載の水中動力装置またはタービンユニット。
【請求項６】
前記接続手段は、前記第１および第２のハウジング部の間の間隔を制御または選択する、請求項１に記載の水中動力装置またはタービンユニット。
【請求項７】
前記接続手段は、少なくとも１つのまたは複数の細長部材またはバーを備える、請求項１に記載の水中動力装置またはタービンユニット。
【請求項８】
前記バーの一端部は、前記第１のハウジング部に取り付けられている、または取付け可能となっている、もしくは、取外し可能に取り付けられている、または取付け可能となっており、前記バーの他端部は、前記第２のハウジング部に取り付けられる、または取付け可能となっている、もしくは、取外し可能に取り付けられる、または取付け可能となっている、請求項７に記載の水中動力装置またはタービンユニット。
【請求項９】
前記端部はフランジ状であり、該端部は、前記ハウジング部のそれぞれに、もしくは該ハウジング部のそれぞれの外面に、固定される、請求項８に記載の水中動力装置またはタービンユニット。
【請求項１０】
前記バーは、前記ハウジング部の下側周面の周囲に配置される、もしくは、前記バーは、前記ハウジング部の下側周面の周囲に円周方向に相互に間隔をあけて配置される、請求項７に記載の水中動力装置またはタービンユニット。
【請求項１１】
前記水中動力装置またはタービンユニットは、モジュールまたはタービンモジュールを備え、該モジュールまたはタービンモジュールは、前記第１および第２のハウジング部の間の間隙または空間内に取外し可能に収容される、請求項１に記載の水中動力装置またはタービンユニット。
【請求項１２】
前記水中動力装置またはタービンユニットは、ベースを備え、該ベースは３つの脚部を備える、水中動力装置またはタービンユニット。
【請求項１３】
一端に第１および第２の脚部が対で設けられ、別の端部に第３の脚部が設けられる、請求項１２に記載の水中動力装置またはタービンユニット。
【請求項１４】
前記第１および第２の脚部は、該動力装置の長手軸の両側に対称に配置される、請求項１３に記載の水中動力装置またはタービンユニット。
【請求項１５】
前記第３の脚部は、前記長手軸に沿って、または該長手軸上に配置される、請求項１４に記載の水中動力装置またはタービンユニット。
【請求項１６】
前記脚部は中空である、請求項１２に記載の水中動力装置またはタービンユニット。
【請求項１７】
前記脚部はバラストを備える、請求項１６に記載の水中動力装置またはタービンユニット。
【請求項１８】
前記第１および第２の脚部の体積は実質的に同じである、請求項１６に記載の水中動力装置またはタービンユニット。
【請求項１９】
前記第３の脚部の体積は、前記第１および第２の脚部のそれぞれの体積の実質的に２倍である、請求項１６に記載の水中動力装置またはタービンユニット。
【請求項２０】
前記第３の脚部から前記第１および第２の脚部の間へと長手方向に伸長するバーまたはトーションバーが設けられている、請求項１２に記載の水中動力装置またはタービンユニット。
【請求項２１】
さらなるバーが、前記第１および第２の脚部の間に横方向に設けられ、前記さらなるバーの端部は、前記第１および第２の脚部に接続される、請求項２０に記載の水中動力装置またはタービンユニット。
【請求項２２】
第１および第２の対称的に配置された別のさらなるバーが、前記バーと前記さらなるバーとの間に設けられている、請求項２１に記載の水中動力装置またはタービンユニット。
【請求項２３】
第１および第２の端部ならびに複数の脚部を有する流路を備える水中動力装置またはタービンユニットであって、前記脚部は、前記流路の端部から長手方向の外側に配置され、および／または、前記流路の両側から横方向外側に配置される、水中動力装置またはタービンユニット。
【請求項２４】
１対の第１および第２の脚部が前記端部の一方より外側に設けられ、第３の脚部が前記端部の他方より外側に設けられている、請求項２３に記載の水中動力装置またはタービンユニット。
【請求項２５】
前記１対の脚部は、前記ハウジングの両側より外側に設けられる、請求項２４に記載の水中動力装置またはタービンユニット。
【請求項２６】
ハウジングおよびタービンモジュールを備え、該タービンモジュールは、前記ハウジングに対して、もしくは前記ハウジング内に、取外し可能に収容され、前記ハウジングと前記タービンモジュールとの間にシール手段が設けられている、水中動力装置またはタービンユニット。
【請求項２７】
前記ハウジングは、第１のハウジング部および第２のハウジング部を備える、請求項２６に記載の水中動力装置またはタービンユニット。
【請求項２８】
前記タービンモジュールは、前記第１および第２のハウジング部の間に設置可能である、請求項２７に記載の水中動力装置またはタービンユニット。
【請求項２９】
前記シール手段は、ポリマー材料からなる、請求項２６に記載の水中動力装置またはタービンユニット。
【請求項３０】
前記シール手段は、前記モジュールの第１の端部と前記第１のハウジング部との間に設けられた第１のシール手段を備える、請求項２６に記載の水中動力装置またはタービンユニット。
【請求項３１】
前記シール手段は、前記モジュールの第２の端部と前記第２のハウジング部との間に設けられた第２のシール手段を備える、請求項３０に記載の水中動力装置またはタービンユニット。
【請求項３２】
前記第１のシール手段は、前記モジュールの第１の端部の上側円周部の少なくとも一部の周囲に設けられるフランジの下面に設けられる、請求項３０に記載の水中動力装置またはタービンユニット。
【請求項３３】
前記第１のシール手段は、前記モジュールの第１の端部の下側円周部の少なくとも一部の周囲に設けられる、別のフランジの下面に設けられる、請求項３２に記載の水中動力装置またはタービンユニット。
【請求項３４】
前記第２のシール手段は、前記モジュールの前記第２の端部の下側円周部の少なくとも一部の周囲に設けられた部分またはフランジの下面に設けられる、請求項３１に記載の水中動力装置またはタービンユニット。
【請求項３５】
前記第２のシール手段は、前記モジュールの前記第２の端部の上側円周部の少なくとも一部の周囲に設けられた別の部分またはフランジの下面に設けられる、請求項３４に記載の水中動力装置またはタービンユニット。
【請求項３６】
地盤係合手段または周囲に伸長するスカートを有する、少なくとも１つの地盤係合脚部を備える、水中動力装置またはタービンユニット。
【請求項３７】
前記地盤係合手段または周囲に伸長するスカートは、使用時において、前記少なくとも１つの脚部を、海底、大洋底または河床の地盤に押し付けることを補助し、該地盤係合脚部が前記周囲に伸長するスカートを備える場合、該スカートは連続的または非連続的であり、選択的に、該脚部は中空管からなり、使用時に実質的に鉛直方向に配置される、請求項３６に記載の水中動力装置またはタービンユニット。
【請求項３８】
前記動力装置は、貫通する液体流路を有するハウジングと、該流路内の液体流に応答して回転するように該流路内に取り付けられた少なくとも１つのタービン手段とを備える少なくとも１つの水中タービンユニットを有する、請求項１に記載の水中動力装置またはタービンユニット。
【請求項３９】
前記動力装置は、貫通する液体流路を有するハウジングと、該流路内の水流に応答して回転するように該流路内に取り付けられた少なくとも１つのタービン手段とを備える少なくとも１つの水中タービンユニットを有し、該タービンユニットは、該タービンユニット内に解放可能に取り付けられたタービンユニット部品またはタービンモジュールを備え、該タービンユニット部品は、前記少なくとも１つのタービン手段およびポンプ手段のうち少なくとも１つを備える、請求項１に記載の水中動力装置またはタービンユニット。
【請求項４０】
前記タービンユニット部品は、前記ハウジングの側部または側壁内の開口部または間隙を通じて解放可能に取り付けられる、請求項３９に記載の水中動力装置またはタービンユニット。
【請求項４１】
前記動力装置は、ハウジングおよび少なくとも１つのタービン手段を備える少なくとも１つの水中タービンユニットを有し、
前記ハウジングは、該ハウジングの第１の端部と第２の端部との間を貫通して伸長する液体流路を有し、該流路は、ベンチュリからなる流量制限を形成し、
前記少なくとも１つのタービン手段は、前記流路に対して平行な軸に沿って回転するように該流路内に取り付けられ、使用時に、前記ハウジングは静止し、前記タービンは、前記流路内を流れる液体に応答して回転し、
前記ハウジングは、その最外面上にウエスト部を備え、該ウエスト部は、前記ハウジングの前記第１および第２の端部よりも幅狭である、
請求項１に記載の水中動力装置またはタービンユニット。
【請求項４２】
前記水中タービンユニットは、少なくとも１つのタービンを有し、該タービンは少なくとも１つのブレードを有し、該少なくとも１つのブレードは、その中央翼弦線に対して対称である少なくとも１つの翼を備える、請求項１に記載の水中動力装置またはタービンユニット。
【請求項４３】
水中動力装置またはタービンユニットのハウジングまたはその他の部分から、タービンモジュールを取り付け、および／または取り外すためのドッキング装置。
【請求項４４】
前記ドッキング装置は、該ドッキング装置を前記タービンモジュールに解放可能に接続するための手段を有する、請求項４３に記載のドッキング装置。
【請求項４５】
前記ドッキング装置は、該ドッキング装置を前記ハウジングに対して位置決めするための手段を有する、請求項４３に記載のドッキング装置。
【請求項４６】
前記ドッキング装置は、前記タービンモジュールを保持する油圧ラッチを備える、請求項４３に記載のドッキング装置。
【請求項４７】
前記ドッキング装置は、少なくとも１つのおよび好適には２つの横方向に対称的に配置されたオス部またはメス部を有し、該オス部またはメス部は、それぞれの前記ハウジングの少なくとも１つのおよび好適には２つの横方向に対称的に配置されたメス部またはオス部と結合可能である、請求項４３に記載のドッキング装置。
【請求項４８】
少なくとも１つのおよび好適には２つの横方向に対称的に配置されたメス部またはオス部を有するハウジングであって、対応する少なくとも１つのおよび好適には２つの横方向に対称的に配置されたオス部またはメス部を有するドッキング装置と結合可能である、ハウジング。
【請求項４９】
請求項４８に記載のハウジングを備える、水中動力装置またはタービンユニット。
【請求項５０】
（ａ）間隔をあけて配置された第１のハウジング部および第２のハウジング部を用意し、
（ｂ）該第１および第２のハウジング部のための接続手段を用意し、
（ｃ）前記ハウジング部の間にタービンモジュールを設置し、
（ｄ）前記ハウジング部のうちの１つまたは双方、および／またはタービンモジュールを、長手方向に移動させて、前記ハウジング部およびタービンモジュールを相互に適切に位置づけ、
（ｅ）前記接続手段を固定する、
工程を有する、水中動力装置の組立て方法。
【請求項５１】
工程（ｅ）は工程（ｄ）の後に行われる、請求項５０に記載の方法。
【請求項５２】
工程（ｅ）は工程（ｄ）の前に行われる、請求項５０に記載の方法。
【請求項５３】
前記工程により、その後に、陸上でまたはそのまま水中で、前記モジュールを前記ハウジング部から取り外すことが可能になる、請求項５０に記載の方法。
【請求項５４】
前記工程により、前記モジュールと前記第１のおよび／または第２のハウジング部との間をシール手段によりシールすることが可能になる、請求項５０に記載の方法。
【請求項５５】
前記タービンモジュールは環状部材を備え、該環状部材は、好適には前記ハウジング部とともに、前記タービンモジュール内のタービンのためのハウジングまたはカウルを形成する、請求項５０に記載の方法。
【請求項５６】
前記ハウジングは貫通流路を有し、該貫通流路内において、前記タービンは、該流路の長手軸を中心に回転するように設置される、請求項５０に記載の方法。
【請求項５７】
前記方法は、
水中または陸上のいずれかにベースを用意し、
前記ハウジング部およびタービンモジュールのアセンブリを前記ベース上に据え付ける、
工程を有し、
選択的に、前記ベースおよびアセンブリは協働する接続手段を備える、
請求項５０に記載の方法。
【請求項５８】
発電機である、請求項１に記載の水中動力装置またはタービンユニット。
【請求項５９】
請求項１に記載の水中動力装置またはタービンユニットを少なくとも１つ備える、発電施設。
【国際調査報告】
2010521609.tif 000023
2010521609.tif 000024
2010521609.tif 000025
2010521609.tif 000026
2010521609.tif 000027
2010521609.tif 000028